(57)【要約】  ワイヤレス遠隔通信システムにおいて使用するための端末デバイスであり、上記端末デバイスは、上記ワイヤレス遠隔通信システムの帯域幅のうちの所定の狭帯域を使用して、基地局と無線シグナリングを実行するように動作可能なトランシーバと、コントローラとを備え、上記コントローラは、上記ワイヤレス遠隔通信システムのカバレッジ拡張モードにおいて、上記基地局から制御情報を受信させるように上記トランシーバを制御し、ここで上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化され、上記制御情報の伝送が繰返し送信される上記回数を決定するために上記制御情報を復号し、上記制御情報の最終の繰返し送信の伝送の後に、所定の期間が経過した後、上記制御情報によってスケジューリングされた上記無線リソースを用いて上記基地局に無線シグナリングを実行させるように上記トランシーバを制御するように動作可能である。【選択図】図６
2018525931.tif 000002
【特許請求の範囲】
【請求項１】
ワイヤレス遠隔通信システムにおいて使用するための端末デバイスであって、
前記ワイヤレス遠隔通信システムの帯域幅のうちの所定の狭帯域を使用して、基地局と無線シグナリングを実行するように動作可能なトランシーバと、
コントローラとを備え、
前記コントローラは、
前記ワイヤレス遠隔通信システムのカバレッジ拡張モードにおいて、前記基地局から制御情報を受信させるように前記トランシーバを制御し、
ここで前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化され、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局と無線シグナリングを実行させるように前記トランシーバを制御するように動作可能である、端末デバイス。
【請求項２】
前記制御情報は、前記制御情報の伝送が繰返し送信される前記回数に関連付けられたコード化スキームを用いてコード化され、前記コード化スキームは、前記制御情報の伝送が繰返し送信可能である個々の回数に各々関連付けられた複数の所定のコード化スキームのうちの１つであり、
前記コントローラは、
前記複数の所定のコード化スキームにおける各コード化スキームを用いて復号プロセスを実行し、
前記複数の所定のコード化スキームにおけるどのコード化スキームが前記制御情報を連続して復号するかを決定し、
前記制御情報を連続的に復号する前記コード化スキームに関連付けられる、前記制御情報の伝送が繰返し送信可能である前記回数を、前記制御情報の伝送が繰返し送信される前記回数として決定するように動作可能である、請求項１に記載の端末デバイス。
【請求項３】
前記制御情報をコード化するために用いられる前記コード化スキームは、前記基地局によって前記端末デバイスへ伝送される前記制御情報を含む信号の巡回冗長検査（ＣＲＣ）に対してマスキングされ、
前記コントローラは、前記基地局から受信された前記制御情報を含む前記信号の前記ＣＲＣに各コード化スキームを適用することによって、前記複数の所定のコード化スキームにおける各コード化スキームを用いて前記復号プロセスを実行するように動作可能である、請求項２に記載の端末デバイス。
【請求項４】
前記複数の所定のコード化スキームにおける各コード化スキームは、前記端末デバイスの識別子と、前記制御情報の伝送が繰返し送信可能である所定回数のうちの異なる回数との関数である、請求項３に記載の端末デバイス。
【請求項５】
前記制御情報をコード化するために用いられる前記コード化スキームは、前記基地局によって前記端末デバイスへ伝送される前記制御情報を含む信号のチャネル符号化に先立って、情報ビットに適用され、
前記コントローラは、前記信号のチャネル復号の後、前記基地局から受信された前記制御情報を含む前記信号に、各コード化スキームを適用することによって、前記複数の所定のコード化スキームにおける各コード化スキームを用いて前記復号プロセスを実行するように動作可能である、請求項２に記載の端末デバイス。
【請求項６】
前記制御情報をコード化するために用いられる前記コード化スキームは、信号に適用され、前記信号は、前記信号のチャネル符号化の後、前記基地局によって前記端末デバイスへ送信される前記制御情報を含み、
前記コントローラは、前記信号のチャネル復号に先立って、前記基地局から受信される前記制御情報を含む前記信号に各コード化スキームを適用することによって、前記複数の所定のコード化スキームにおける各コード化スキームを用いて、前記復号プロセスを実行するように動作可能である、請求項２に記載の端末デバイス。
【請求項７】
前記制御情報をコード化するために用いられる前記コード化スキームは、前記基地局によって前記端末デバイスへ送信される変調され且つチャネル符号化された制御情報のシンボルに適用され、
前記コントローラは、前記基地局から受信された前記変調され且つチャネル符号化された制御情報の前記シンボルに各コード化スキームを適用することによって、前記複数の所定のコード化スキームにおける各コード化スキームを用いて前記復号プロセスを実行するように動作可能である、請求項２に記載の端末デバイス。
【請求項８】
前記制御情報をコード化するために用いられる前記コード化スキームは、前記基地局によって前記端末デバイスへ送信される変調され且つチャネル符号化された制御情報の対の物理リソースブロック（ＰＲＢ）の無線リソースエレメントに適用され、
前記コントローラは、前記基地局から受信された前記変調され且つチャネル符号化された制御情報の前記対のＰＲＢの前記無線リソースエレメントに各コード化スキームを適用することによって、前記複数の所定のコード化スキームにおける各コード化スキームを用いて前記復号プロセスを実行するように動作可能である、請求項２に記載の端末デバイス。
【請求項９】
前記制御情報の伝送が繰返し送信可能である第１及び第２の回数は各々同一の共有されたコード化スキームに関連付けられる、請求項２に記載の端末デバイス。
【請求項１０】
前記コントローラは、前記共有されたコード化スキームを用いた制御情報の復号の後、前記制御情報における識別子に基づいて、前記制御情報が繰返し送信される前記回数を決定する、請求項９に記載の端末デバイス。
【請求項１１】
前記コード化はスクランブリング又はインターリービングのいずれかであり、前記復号はデスクランブリング又はデインターリービングのいずれかである、請求項１に記載の端末デバイス。
【請求項１２】
前記所定のコード化スキームはスクラインブリング・コード又はインターリービング機能のいずれかである、請求項２に記載の端末デバイス。
【請求項１３】
ワイヤレス遠隔通信システムにおいて使用するための基地局であって、
前記ワイヤレス遠隔通信システムの帯域幅のうちの所定の狭帯域を使用して、端末デバイスと無線シグナリングを実行するように動作可能なトランシーバと、
コントローラとを備え、
前記コントローラは、
前記ワイヤレス遠隔通信システムのカバレッジ拡張モードにおいて、前記端末デバイスへ伝送される制御情報を生成し、
ここで前記制御情報は前記端末デバイスとの無線シグナリングのために無線リソースをスケジューリングし、前記カバレッジ拡張モードは前記制御情報の前記端末デバイスへの伝送が複数回、繰返し送信されるモードであり、
前記端末デバイスへの前記制御情報の伝送が繰返し送信される回数を決定し、
前記端末デバイスへの前記制御情報の伝送が繰返し送信される前記決定された回数に従って、前記制御情報をコード化し、
前記端末デバイスへの前記制御情報の伝送が繰返し送信される前記決定された回数に従って、前記コード化された制御情報を前記端末デバイスへ繰返して伝送させるように前記トランシーバを制御し、
前記制御情報の最終の繰返し送信の伝送の後に、所定の期間が経過した後、前記制御情報によってスケジューリングされた前記無線リソースを用いて前記端末デバイスと無線シグナリングを実行させるように前記トランシーバを制御するように動作可能である、基地局。
【請求項１４】
前記コントローラは、前記制御情報の伝送が繰返し送信される前記回数に関連付けられたコード化スキームを用いて、前記制御情報をコード化するように動作可能であり、前記コード化スキームは、前記制御情報の伝送が繰返し送信可能である個々の回数に各々関連付けられた複数の所定のコード化スキームのうちの１つである、請求項１３に記載の基地局。
【請求項１５】
前記コントローラは、前記制御情報をコード化するために用いられる前記コード化スキームを、前記端末デバイスへ伝送される前記制御情報を含む信号の巡回冗長検査（ＣＲＣ）に対してマスキングするように動作可能である、請求項１４に記載の基地局。
【請求項１６】
前記複数の所定のコード化スキームにおける各コード化スキームは、前記端末デバイスの識別子と、前記制御情報の伝送が繰返し送信可能である所定回数のうちの異なる回数との関数である、請求項１５に記載の基地局。
【請求項１７】
前記コントローラは、前記端末デバイスへ伝送される前記制御情報を含む信号のチャネル符号化に先立って、前記制御情報をコード化するために用いられる前記コード化スキームを情報ビットに適用するように動作可能である、請求項１４に記載の基地局。
【請求項１８】
前記コントローラは、前記制御情報をコード化するために用いられる前記コード化スキームを信号に適用するように動作可能であり、前記信号は、前記信号のチャネル符号化の後、前記端末デバイスへ伝送される前記制御情報を含む、請求項１４に記載の基地局。
【請求項１９】
前記コントローラは、前記端末デバイスへ伝送される変調され且つチャネル符号化された制御情報のシンボルに、前記制御情報をコード化するために用いられる前記コード化スキームを適用するように動作可能である、請求項１４に記載の基地局。
【請求項２０】
前記コントローラは、前記制御情報をコード化するために用いられる前記コード化スキームを、前記端末デバイスへ送信される変調され且つチャネル符号化された制御情報の対の物理リソースブロック（ＰＲＢ）の無線リソースエレメントに適用するように動作可能である、請求項１４に記載の基地局。
【請求項２１】
前記制御情報の伝送が繰返し送信可能である第１及び第２の回数は各々同一の共有されたコード化スキームに関連付けられる、請求項１４に記載の基地局。
【請求項２２】
前記コントローラは、前記制御情報の伝送が前記第１又は前記第２の回数、繰返し送信される場合、識別子を前記制御情報に加えるように動作可能であり、前記識別子は、前記制御情報の伝送が繰返し送信される前記第１又は前記第２の回数のどちらかであるかを識別する、請求項２１に記載の基地局。
【請求項２３】
前記コード化はスクランブリング又はインターリービングのいずれかであり、前記復号はデスクランブリング又はデインターリービングのいずれかである、請求項１３に記載の基地局。
【請求項２４】
前記所定のコード化スキームはスクラインブリング・コード又はインターリービング機能のいずれかである、請求項１４に記載の端末デバイス。
【請求項２５】
請求項１に記載の端末デバイスと、請求項１３に記載の基地局とを含む、ワイヤレス遠隔通信システム。
【請求項２６】
ワイヤレス遠隔通信システムにおいて端末デバイスを操作する方法であって、前記端末デバイスは、前記ワイヤレス遠隔通信システムの帯域幅のうちの所定の狭帯域を使用して、基地局と無線シグナリングを実行するためのものであり、前記方法は、
前記ワイヤレス遠隔通信システムのカバレッジ拡張モードにおいて、前記基地局から制御情報を受信することであって、前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化される、ことと、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局と無線シグナリングを実行することとを含む、方法。
【請求項２７】
請求項２６に係る方法を実行させるようにコンピュータを制御するためのコンピュータプログラムを記憶する記憶媒体。
【請求項２８】
ワイヤレス遠隔通信システムにおいて基地局を操作する方法であって、前記基地局は、前記ワイヤレス遠隔通信システムの帯域幅のうちの所定の狭帯域を使用して、端末デバイスと無線シグナリングを実行するためのものであり、前記方法は、
前記ワイヤレス遠隔通信システムのカバレッジ拡張モードにおいて、前記端末デバイスへ伝送される制御情報を生成することであって、前記制御情報は前記端末デバイスとの無線シグナリングを実行するために無線リソースをスケジューリングし、前記カバレッジ拡張モードは前記制御情報の前記端末デバイスへの伝送が複数回、繰返し送信されるモードである、ことと、
前記端末デバイスへの前記制御情報の伝送が繰返し送信される回数を決定することと、
前記端末デバイスへの前記制御情報の伝送が繰返し送信される前記決定された回数に従って、前記制御情報をコード化することと、
前記端末デバイスへの前記制御情報の伝送が繰返し送信される前記決定された回数に従って、前記コード化された制御情報を前記端末デバイスへ繰返して伝送することと、
前記制御情報の最終の繰返し送信の伝送の後に、所定の期間が経過した後、前記制御情報によってスケジューリングされた前記無線リソースを用いて前記端末デバイスと無線シグナリングを実行することとを含む、方法。
【請求項２９】
請求項２８に係る方法を実行させるようにコンピュータを制御するためのコンピュータプログラムを記憶する記憶媒体。
【請求項３０】
ワイヤレス遠隔通信システムにおいて使用するための端末デバイスであって、
前記ワイヤレス遠隔通信システムの帯域幅のうちの所定の狭帯域を使用して、基地局と無線シグナリングを実行するように動作可能なトランシーバ回路と、
コントローラ回路とを備え、
前記コントローラ回路は、
前記ワイヤレス遠隔通信システムのカバレッジ拡張モードにおいて、前記基地局から制御情報を受信させるように前記レシーバ回路を制御し、
ここで前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化され、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局から無線シグナリングを実行させるように前記トランシーバ回路を制御するように動作可能である、端末デバイス。
【請求項３１】
ワイヤレス遠隔通信システムにおいて使用するための基地局であって、
前記ワイヤレス遠隔通信システムの帯域幅のうちの所定の狭帯域を使用して、端末デバイスと無線シグナリングを実行するように動作可能なトランシーバ回路と、
コントローラ回路とを備え、
前記コントローラ回路は、
前記ワイヤレス遠隔通信システムのカバレッジ拡張モードにおいて、前記端末デバイスへ伝送される制御情報を生成し、
ここで前記制御情報は前記端末デバイスとの無線シグナリングのために無線リソースをスケジューリングし、前記カバレッジ拡張モードは前記制御情報の前記端末デバイスへの伝送が複数回、繰返し送信されるモードであり、
前記端末デバイスへの前記制御情報の伝送が繰返し送信される回数を決定し、
前記端末デバイスへの前記制御情報の伝送が繰返し送信される前記決定された回数に従って、前記制御情報をコード化し、
前記端末デバイスへの前記制御情報の伝送が繰返し送信される前記決定された回数に従って、前記コード化された制御情報を前記端末デバイスへ繰返して伝送させるように前記トランシーバ回路を制御し、
前記制御情報の最終の繰返し送信の伝送の後に、所定の期間が経過した後、前記制御情報によってスケジューリングされた前記無線リソースを用いて前記端末デバイスと無線シグナリングを実行させるように前記トランシーバ回路を制御するように動作可能である、基地局。
【発明の詳細な説明】
【技術分野】
【０００１】
本開示は端末デバイス、基地局、及び方法に関する。
【背景技術】
【０００２】
３ＧＰＰ（Ｔｈｉｒｄ  Ｇｅｎｅｒａｔｉｏｎ  Ｐｒｏｊｅｃｔ  Ｐａｒｔｎｅｒｓｈｉｐ）によるＬＴＥ（Ｌｏｎｇ  Ｔｅｒｍ  Ｅｖｏｌｕｔｉｏｎ）プロジェクトに従って開発されているモバイル通信システム（すなわちワイヤレス遠隔通信システム）は、モバイル通信ネットワークによって提供される無線カバレッジ・エリア内において高データレートで様々な用途に対してデータを送信又は受信する能力を通信デバイスに提供することができる。ＬＴＥ規格に従って構成されたモバイル通信ネットワークによって提供されるワイヤレス・アクセス・インターフェースはこれらの高データレートをサポートすることができる信号伝送技術を含む。それゆえ今後は多種多様な用途が存在する見通しであり、それらはＬＴＥシステムによってサポート可能である。
【０００３】
それらの動作をサポートするために高データレートを必要とする用途が存在する一方で、高データレートが必要とされない一部の用途も存在する。マシン型通信（ＭＴＣ）をサポートする用途など、よりシンプルで複雑でない通信デバイスによって提供される見通しである一部の用途が存在する。かようなデバイスはまた低電力のデバイスであることが期待され、且つ比較的安価で、低複雑性、狭帯域のトランスミッタ及びレシーバを備え得る。かようなデバイスはまた、無線通信状況が信号の送信及び受信をより困難にし得る場所に配置されてもよい。
【０００４】
既存の伝送フォーマットを用いたモバイル通信ネットワークによって伝送される信号を受信する通信デバイスの見込みを改善するために提案されている１つの技術は、モバイル通信ネットワークからのメッセージを表す信号の伝送を繰返すことである。レシーバは、そのメッセージを正確に検出する見込みを改善するために、繰返し受信されたメッセージを結合することができる。それゆえ、モバイル通信ネットワークは、特により複雑でないモバイル通信デバイスについてその無線カバレッジを拡大するように構成されることができる。かような技術はカバレッジ拡大（又はカバレッジ拡張）として知られている。
【先行技術文献】
【非特許文献】
【０００５】
【非特許文献１】ＬＴＥ  ｆｏｒ  ＵＭＴＳ：ＯＦＤＭＡ  ａｎｄ  ＳＣ−ＦＤＭＡ  Ｂａｓｅｄ  Ｒａｄｉｏ  Ａｃｃｅｓｓ、Ｈａｒｒｉｓ  Ｈｏｌｍａ及びＡｎｔｔｉ  Ｔｏｓｋａｌａ、Ｗｉｌｅｙ  ２００９、ＩＳＢＮ９７８−０−４７０−９９４０１−６
【発明の概要】
【発明が解決しようとする課題】
【０００６】
しかしながら、狭帯域のトランスミッタ及びレシーバについてそのようなカバレッジ拡大を可能にするよう、繰返しのメッセージ伝送を利用することには問題のある場合がある。本技術はこれらの問題を緩和することを目的とする。
【課題を解決するための手段】
【０００７】
第１の側面において、本開示は、ワイヤレス遠隔通信システムにおいて使用するための端末デバイスを提供し、上記端末デバイスは、上記ワイヤレス遠隔通信システムの帯域幅のうちの所定の狭帯域を使用して、基地局と無線シグナリングを実行するように動作可能なトランシーバと、コントローラとを備え、上記コントローラは、上記ワイヤレス遠隔通信システムのカバレッジ拡張モードにおいて、上記基地局から制御情報を受信させるように上記トランシーバを制御し、ここで上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化され、上記制御情報の伝送が繰返し送信される上記回数を決定するために上記制御情報を復号し、上記制御情報の最終の繰返し送信の伝送の後に、所定の期間が経過した後、上記制御情報によってスケジューリングされた上記無線リソースを用いて上記基地局と無線シグナリングを実行させるように上記トランシーバを制御するように動作可能である。
【０００８】
一実施形態において、上記制御情報は、上記制御情報の伝送が繰返し送信される上記回数に関連付けられたコード化スキームを用いてコード化され、上記コード化スキームは、上記制御情報の伝送が繰返し送信可能である個々の回数に各々関連付けられた複数の所定のコード化スキームのうちの１つであり、上記コントローラは、上記複数の所定のコード化スキームにおける各コード化スキームを用いて復号プロセスを実行し、上記複数の所定のコード化スキームにおけるどのコード化スキームが上記制御情報を連続して復号するかを決定し、上記制御情報を連続的に復号する上記コード化スキームに関連付けられる、上記制御情報の伝送が繰返し送信可能である上記回数を、上記制御情報の伝送が繰返し送信される上記回数として決定するように動作可能である。
【０００９】
一実施形態において、上記制御情報をコード化するために用いられる上記コード化スキームは、上記基地局によって上記端末デバイスへ伝送される上記制御情報を含む信号の巡回冗長検査（ＣＲＣ）に対してマスキングされ、上記コントローラは、上記基地局から受信された上記制御情報を含む上記信号の上記ＣＲＣに各コード化スキームを適用することによって、上記複数の所定のコード化スキームにおける各コード化スキームを用いて上記復号プロセスを実行するように動作可能である。
【００１０】
一実施形態において、上記複数の所定のコード化スキームにおける各コード化スキームは、上記端末デバイスの識別子と、上記制御情報の伝送が繰返し送信可能である所定回数のうちの異なる回数との関数である。
【００１１】
一実施形態において、上記制御情報をコード化するために用いられる上記コード化スキームは、上記基地局によって上記端末デバイスへ伝送される上記制御情報を含む信号のチャネル符号化に先立って、情報ビットに適用され、上記コントローラは、上記信号のチャネル復号の後、上記基地局から受信された上記制御情報を含む上記信号に、各コード化スキームを適用することによって、上記複数の所定のコード化スキームにおける各コード化スキームを用いて上記復号プロセスを実行するように動作可能である。
【００１２】
一実施形態において、上記制御情報をコード化するために用いられる上記コード化スキームは、上記信号のチャネル符号化の後、上記基地局によって上記端末デバイスへ送信される上記制御情報を含む信号に適用され、上記コントローラは、上記信号のチャネル復号に先立って、上記基地局から受信される上記制御情報を含む上記信号に各コード化スキームを適用することによって、上記複数の所定のコード化スキームにおける各コード化スキームを用いて、上記復号プロセスを実行するように動作可能である。
【００１３】
一実施形態において、上記制御情報をコード化するために用いられる上記コード化スキームは、上記基地局によって上記端末デバイスへ送信される変調され且つチャネル符号化された制御情報のシンボルに適用され、上記コントローラは、上記基地局から受信された上記変調され且つチャネル符号化された制御情報の上記シンボルに各コード化スキームを適用することによって、上記複数の所定のコード化スキームにおける各コード化スキームを用いて上記復号プロセスを実行するように動作可能である。
【００１４】
一実施形態において、上記制御情報をコード化するために用いられる上記コード化スキームは、上記基地局によって上記端末デバイスへ送信される変調され且つチャネル符号化された制御情報の対の物理リソースブロック（ＰＲＢ）の無線リソースエレメントに適用され、上記コントローラは、上記基地局から受信された上記変調され且つチャネル符号化された制御情報の上記対のＰＲＢの上記無線リソースエレメントに各コード化スキームを適用することによって、上記複数の所定のコード化スキームにおける各コード化スキームを用いて上記復号プロセスを実行するように動作可能である。
【００１５】
一実施形態において、上記制御情報の伝送が繰返し送信可能である第１及び第２の回数は各々同一の共有されたコード化スキームに関連付けられる。
【００１６】
一実施形態において、上記コントローラは、上記共有されたコード化スキームを用いた制御情報の復号の後、上記制御情報における識別子に基づいて、上記制御情報が繰返し送信される上記回数を決定する。
【００１７】
一実施形態において、上記コード化はスクランブリング又はインターリービングのいずれかであり、上記復号はデスクランブリング又はデインターリービングのいずれかである。
【００１８】
一実施形態において、上記所定のコード化スキームはスクラインブリング・コード又はインターリービング機能のいずれかである。
【００１９】
第２の側面において、本開示は、ワイヤレス遠隔通信システムにおいて使用するための基地局を提供し、上記基地局は、上記ワイヤレス遠隔通信システムの帯域幅のうちの所定の狭帯域を使用して、端末デバイスと無線シグナリングを実行するように動作可能なトランシーバと、コントローラとを備え、上記コントローラは、上記ワイヤレス遠隔通信システムのカバレッジ拡張モードにおいて、上記端末デバイスへ伝送される制御情報を生成し、ここで上記制御情報は上記端末デバイスとの無線シグナリングのために無線リソースをスケジューリングし、上記カバレッジ拡張モードは上記制御情報の上記端末デバイスへの伝送が複数回、繰返し送信されるモードであり、上記端末デバイスへの上記制御情報の伝送が繰返し送信される回数を決定し、上記端末デバイスへの上記制御情報の伝送が繰返し送信される上記決定された回数に従って、上記制御情報をコード化し、上記端末デバイスへの上記制御情報の伝送が繰返し送信される上記決定された回数に従って、上記コード化された制御情報を上記端末デバイスへ繰返して伝送させるように上記トランシーバを制御し、上記制御情報の最終の繰返し送信の伝送の後に、所定の期間が経過した後、上記制御情報によってスケジューリングされた上記無線リソースを用いて上記端末デバイスと無線シグナリングを実行させるように上記トランシーバを制御するように動作可能である。
【００２０】
一実施形態において、上記コントローラは、上記制御情報の伝送が繰返し送信される上記回数に関連付けられたコード化スキームを用いて、上記制御情報をコード化するように動作可能であり、上記コード化スキームは、上記制御情報の伝送が繰返し送信可能である個々の回数に各々関連付けられた複数の所定のコード化スキームのうちの１つである。
【００２１】
一実施形態において、上記コントローラは、上記制御情報をコード化するために用いられる上記コード化スキームを、上記端末デバイスへ伝送される上記制御情報を含む信号の巡回冗長検査（ＣＲＣ）に対してマスキングするように動作可能である。
【００２２】
一実施形態において、上記複数の所定のコード化スキームにおける各コード化スキームは、上記端末デバイスの識別子と、上記制御情報の伝送が繰返し送信可能である所定回数のうちの異なる回数との関数である。
【００２３】
一実施形態において、上記コントローラは、上記端末デバイスへ伝送される上記制御情報を含む信号のチャネル符号化に先立って、上記制御情報をコード化するために用いられる上記コード化スキームを情報ビットに適用するように動作可能である。
【００２４】
一実施形態において、上記コントローラは、上記信号のチャネル符号化の後、上記端末デバイスへ伝送される上記制御情報を含む信号に、上記制御情報をコード化するために用いられる上記コード化スキームを適用するように動作可能である。
【００２５】
一実施形態において、上記コントローラは、上記端末デバイスへ伝送される変調され且つチャネル符号化された制御情報のシンボルに、上記制御情報をコード化するために用いられる上記コード化スキームを適用するように動作可能である。
【００２６】
一実施形態において、上記コントローラは、上記制御情報をコード化するために用いられる上記コード化スキームを、上記端末デバイスへ送信される変調され且つチャネル符号化された制御情報の対の物理リソースブロック（ＰＲＢ）の無線リソースエレメントに適用するように動作可能である。
【００２７】
一実施形態において、上記制御情報の伝送が繰返し送信可能である第１及び第２の回数は各々同一の共有されたコード化スキームに関連付けられる。
【００２８】
一実施形態において、上記コントローラは、上記制御情報の伝送が上記第１又は上記第２の回数、繰返し送信される場合、識別子を上記制御情報に加えるように動作可能であり、上記識別子は、上記制御情報の伝送が繰返し送信される上記第１又は上記第２の回数のどちらかであるかを識別する。
【００２９】
一実施形態において、上記コード化はスクランブリング又はインターリービングのいずれかであり、上記復号はデスクランブリング又はデインターリービングのいずれかである。
【００３０】
一実施形態において、上記所定のコード化スキームはスクラインブリング・コード又はインターリービング機能のいずれかである。
【００３１】
第３の側面において、本開示は、第１の側面に係る端末デバイスと、第２の側面に係る基地局とを含む、ワイヤレス遠隔通信システムを提供する。
【００３２】
第４の側面において、本開示は、ワイヤレス遠隔通信システムにおいて端末デバイスを操作する方法を提供し、上記端末デバイスは、上記ワイヤレス遠隔通信システムの帯域幅のうちの所定の狭帯域を使用して、基地局と無線シグナリングを実行するためのものであり、上記方法は、上記ワイヤレス遠隔通信システムのカバレッジ拡張モードにおいて、上記基地局から制御情報を受信することであって、上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化される、ことと、上記制御情報の伝送が繰返し送信される上記回数を決定するために上記制御情報を復号し、上記制御情報の最終の繰返し送信の伝送の後に、所定の期間が経過した後、上記制御情報によってスケジューリングされた上記無線リソースを用いて上記基地局と無線シグナリングを実行することとを含む。
【００３３】
第５の側面において、本開示は、第４の側面に係る方法を実行させるようにコンピュータを制御するためのコンピュータプログラムを記憶する記憶媒体を提供する。
【００３４】
第６の側面において、本開示は、ワイヤレス遠隔通信システムにおいて基地局を操作する方法を提供し、上記基地局は、上記ワイヤレス遠隔通信システムの帯域幅のうちの所定の狭帯域を使用して、端末デバイスと無線シグナリングを実行するためのものであり、上記方法は、上記ワイヤレス遠隔通信システムのカバレッジ拡張モードにおいて、上記端末デバイスへ伝送される制御情報を生成することであって、上記制御情報は上記端末デバイスとの無線シグナリングを実行するために無線リソースをスケジューリングし、上記カバレッジ拡張モードは上記制御情報の上記端末デバイスへの伝送が複数回、繰返し送信されるモードである、ことと、上記端末デバイスへの上記制御情報の伝送が繰返し送信される回数を決定することと、上記端末デバイスへの上記制御情報の伝送が繰返し送信される上記決定された回数に従って、上記制御情報をコード化することと、上記端末デバイスへの上記制御情報の伝送が繰返し送信される上記決定された回数に従って、上記コード化された制御情報を上記端末デバイスへ繰返して伝送することと、上記制御情報の最終の繰返し送信の伝送の後に、所定の期間が経過した後、上記制御情報によってスケジューリングされた上記無線リソースを用いて上記端末デバイスと無線シグナリングを実行することとを含む。
【００３５】
第７の側面において、本開示は、第６の側面に係る方法を実行させるようにコンピュータを制御するためのコンピュータプログラムを記憶する記憶媒体を提供する。
【００３６】
第８の側面において、本開示は、ワイヤレス遠隔通信システムにおいて使用するための端末デバイスを提供し、上記端末デバイスは、上記ワイヤレス遠隔通信システムの帯域幅のうちの所定の狭帯域を使用して、基地局と無線シグナリングを実行するように動作可能なトランシーバ回路と、コントローラ回路とを備え、上記コントローラ回路は、上記ワイヤレス遠隔通信システムのカバレッジ拡張モードにおいて、上記基地局から制御情報を受信させるように上記レシーバ回路を制御し、ここで上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化され、上記制御情報の伝送が繰返し送信される上記回数を決定するために上記制御情報を復号し、上記制御情報の最終の繰返し送信の伝送の後に、所定の期間が経過した後、上記制御情報によってスケジューリングされた上記無線リソースを用いて上記基地局から無線シグナリングを実行させるように上記トランシーバ回路を制御するように動作可能である。
【００３７】
第９の側面において、本開示は、ワイヤレス遠隔通信システムにおいて使用するための基地局を提供し、上記基地局は、上記ワイヤレス遠隔通信システムの帯域幅のうちの所定の狭帯域を使用して、端末デバイスと無線シグナリングを実行するように動作可能なトランシーバ回路と、コントローラ回路とを備え、上記コントローラ回路は、上記ワイヤレス遠隔通信システムのカバレッジ拡張モードにおいて、上記端末デバイスへ伝送される制御情報を生成し、ここで上記制御情報は上記端末デバイスとの無線シグナリングのために無線リソースをスケジューリングし、上記カバレッジ拡張モードは上記制御情報の上記端末デバイスへの伝送が複数回、繰返し送信されるモードであり、上記端末デバイスへの上記制御情報の伝送が繰返し送信される回数を決定し、上記端末デバイスへの上記制御情報の伝送が繰返し送信される上記決定された回数に従って、上記制御情報をコード化し、上記端末デバイスへの上記制御情報の伝送が繰返し送信される上記決定された回数に従って、上記コード化された制御情報を上記端末デバイスへ繰返して伝送させるように上記トランシーバ回路を制御し、上記制御情報の最終の繰返し送信の伝送の後に、所定の期間が経過した後、上記制御情報によってスケジューリングされた上記無線リソースを用いて上記端末デバイスと無線シグナリングを実行させるように上記トランシーバ回路を制御するように動作可能である。
【００３８】
本開示の様々なさらなる側面及び特徴が添付の特許請求の範囲において規定され、且つ通信デバイス、通信デバイスを用いた通信方法を含む。
【００３９】
本開示の実施形態は、添付の図面を参照し、例示的にのみ記載される。本明細書において、同様の部分は同じ参照数字が用いられる。
【図面の簡単な説明】
【００４０】
【図１】図１は通信デバイスがインフラストラクチャ機器を介して通信しているモバイル通信システムの概略ブロック図を提供する。
【図２】図２はＬＴＥ規格に従って動作するモバイル通信システムのワイヤレス・アクセス・インターフェースのダウンリンクの構造の概略図を提供する。
【図３】図３はＬＴＥ規格に従って動作するモバイル通信システムのワイヤレス・アクセス・インターフェースのアップリンクの概略図を提供する。
【図４】図４は局所ｅＰＤＣＣＨ及び分散ｅＰＤＣＣＨを含むワイヤレス・アクセス・インターフェースのサブフレームの概略図である。
【図５】図５は３つの異なるＭＰＤＣＣＨの繰返し送信の例示的なサーチスペースの概略図を提供する。
【図６】図６はＰＤＳＣＨ（又はＰＵＳＣＨ）のタイミングに関連した３つの異なるＭＰＤＣＣＨの繰返し送信のタイミングの概略図を提供する。
【図７】図７は本技術の一実施形態に従った、基地局のコントローラによって実行されるステップの概略図を提供する。
【図８】図８は本技術の一実施形態に従った、端末デバイスのコントローラによって実行されるステップの概略図を提供する。
【図９】図９は本技術の一実施形態に従った、物理リソースブロック対におけるリソースエレメントの概略図を提供する。
【発明を実施するための形態】
【００４１】
通信システム
図１は、以下でさらに記載されるように、ＬＴＥの原理に従って動作し、且つ本開示の実施形態を実施するように適合され得るモバイル遠隔通信ネットワーク／システムの一部の基本機能を示す概略図を提供する。図１の様々な要素及びそれらの動作の個々のモードは周知のものであり、３ＧＰＰ（ＲＴＭ）団体により管理される関連規格において規定されて、且つまた例えばＨｏｌｍａ  Ｈ．及びＴｏｓｋａｌａ  Ａ等、本主題についての多くの書籍において記載されている（非特許文献１）。以下で具体的に記載されない遠隔通信ネットワークの動作的な側面は、例えば上記の関連規格に従い、任意の既知の技術に従って実施され得る。
【００４２】
図１はモバイル遠隔通信システムの概略図を提供し、図において本システムはコアネットワーク１０２に接続されている基地局１０１を備えるインフラストラクチャ機器を含み、コアネットワーク１０２は通信技術に精通する者によって理解されるであろう従来の構成に従って動作するものである。インフラストラクチャ機器１０１はまた、例えば基地局、ネットワーク要素、インフラストラクチャ装置、エンハンスドＮｏｄｅＢ（ｅＮｏｄｅＢ）、又は協調エンティティとも呼ばれる場合があり、ワイヤレス・アクセス・インターフェースを、カバレッジ・エリア又は破線１０３で示されたセル内の１つ以上の通信デバイスに提供する。１つ以上のモバイル通信デバイス１０４はワイヤレス・アクセス・インターフェースを用いてデータを示す信号の送信及び受信を介してデータ通信してよい。コアネットワーク１０２はまた、ネットワークエンティティによって受けもたれた通信デバイスに対して認証、モビリティマネジメント、課金等を含む機能を提供してよい。
【００４３】
図１のモバイル通信デバイスは通信端末、ユーザ機器（ＵＥ）、端末デバイス等と呼ばれてもよく、ネットワークエンティティを介して同一又は異なるカバレッジ・エリアによって受けもたれた１つ以上の他の通信デバイスと通信するように構成されている。これらの通信は双方向の通信リンクに亘ってワイヤレス・アクセス・インターフェースを用いてデータを示す信号を送信及び受信することによって実行されてよい。
【００４４】
通信システムは任意の既知のプロトコルに従って動作してよく、例えば一部の例においては、本システムは３ＧＰＰのＬＴＥ（Ｌｏｎｇ  Ｔｅｒｍ  Ｅｖｏｌｕｔｉｏｎ）規格に従って動作してよい。
【００４５】
図１に示されるように、基地局の１つである基地局１０１ａがより詳細に示されており、カバレッジ・エリア１０３内でワイヤレス・アクセス・インターフェースを介して１つ以上の通信デバイス、すなわちＵＥ１０４に信号を送信するためのトランスミッタ１１０、及び１つ以上のＵＥから信号を受信するためのレシーバ１１２を備える。コントローラ１１４はワイヤレス・アクセス・インターフェースを介して信号を送信及び受信するためにトランスミッタ１１０及びレシーバ１１２を制御する。コントローラ１１４はワイヤレス・アクセス・インターフェースの通信リソースエレメントの割当を制御する機能を実行してよく、且つ一部の例においては、アップリンク及びダウンリンクの両方について、ワイヤレス・アクセス・インターフェースを介して伝送をスケジューリングするためのスケジューラを含む。
【００４６】
１つの例であるＵＥ１０４ａがより詳細に示されており、ワイヤレス・アクセス・インターフェースのアップリンクにおいてｅＮｏｄｅＢ１０３に信号を送信するためのトランスミッタ１１６、及びワイヤレス・アクセス・インターフェースを介してダウンリンクにおいて基地局１０１によって送信された信号を受信するためのレシーバ１１８を備える。トランスミッタ１１６及びレシーバ１１８はコントローラ１２０によって制御される。本開示の本実施形態において、ＵＥ１０４ａは低複雑性（Ｌｏｗ  Ｃｏｍｐｌｅｘｉｔｙ）マシン型通信（ＬＣ−ＭＴＣ）端末デバイスである。
【００４７】
ＬＴＥワイヤレス・アクセス・インターフェース
３ＧＰＰに規定されるＬＴＥ（Ｌｏｎｇ  Ｔｅｒｍ  Ｅｖｏｌｕｔｉｏｎ）アーキテクチャに従って構成されるモバイル遠隔通信システムは、無線ダウンリンクに対して直交周波数分割変調（ＯＦＤＭ）をベースにしたワイヤレス・アクセス・インタフェース（所謂ＯＦＤＭＡ）を用い、無線アップリンクについてはシングルキャリア周波数分割多元接続方式（ＳＣ−ＦＤＭＡ）を用いる。ＬＴＥ規格に従ったワイヤレス・アクセス・インターフェースのダウンリンク及びアップリンクは図２及び図３に示される。
【００４８】
図２は、通信システムがＬＴＥ規格に従って動作している場合、図１の基地局によって提供され得るか又は関連付けられて提供され得るワイヤレス・アクセス・インターフェースのダウンリンクの構造の簡略化された概略図を提供する。ＬＴＥシステムにおいて、基地局からＵＥへのダウンリンクのワイヤレス・アクセス・インターフェースは、直交周波数分割多重（ＯＦＤＭ）接続無線インターフェースに基づく。ＯＦＤＭインターフェースでは、利用可能な帯域幅のリソースは複数の直交サブキャリアに周波数分割され、データは複数の直交サブキャリア上で並列伝送され、ここで１．４ＭＨＺから２０ＭＨｚ帯域幅の帯域幅が直交サブキャリアに分割されてよい。これらのサブキャリアの全てがデータを伝送するために用いられるのではない（一部はＯＦＤＭシンボルの巡回プレフィックスなどの構成のために用いられる）。サブキャリア数は７２サブキャリア（１．４ＭＨｚ）から１２００サブキャリア（２０ＭＨｚ）の間で様々である。一部の例において、サブキャリアは２ｎに基づいてグループ化され（例えば１２８から２０４８）、トランスミッタ及びレシーバの両方が逆及び順高速フーリエ変換を使用して、サブキャリアを周波数ドメインから時間ドメインへ、及び時間ドメインから周波数ドメインへと夫々変換することができる。各サブキャリアの帯域幅は任意の値を取ってもよいが、ＬＴＥでは１５ｋＨｚで固定されている。図２に示されるように、ワイヤレス・アクセス・インターフェースのリソースはまた時間的に複数のフレームに分割され、ここで１つのフレーム２００は１０ｍｓの長さであり、各々が１ｍｓの長さを持つ１０個のサブフレーム２０１にさらに細かく分割される。各サブフレーム２０１は１４個のＯＦＤＭシンボルからなり、２つのスロット２２０、２２２へと分割され、各スロットは通常又は拡張（ｅｘｔｅｎｄｅｄ）巡回プレフィックスが符号間干渉を低減するためにＯＦＤＭシンボル間で利用されているかどうかに依存して、６個又は７個のＯＦＤＭシンボルを含む。スロット内のリソースはリソースブロック２０３に分割されてよく、各リソースブロックは１スロットの長さに対して１２サブキャリアを含み、リソースブロックはさらにリソースエレメント２０４へとさらに分割され、リソースエレメントは１つのＯＦＤＭシンボルに対して１つのサブキャリアをあてがうことができる。図において各矩形２０４はリソースエレメントを示す。ＬＴＥのワイヤレス・アクセス・インターフェースのダウンリンクの構造のさらなる詳細は付録１に提供される。しかしながら、本技術の例示的な実施形態を理解するにあたって特に関連するのは、物理ダウンリンク制御チャネル（ＰＤＣＣＨ）と呼ばれるダウンリンク制御チャネル、及びデータをＵＥに伝送するためのリソースの共有チャネル、すなわち物理ダウンリンク共有チャネル（ＰＤＳＣＨ）である。
【００４９】
図３は図１の基地局によって提供され得るか又は関連付けられて提供され得るＬＴＥのワイヤレス・アクセス・インターフェースのアップリンクの構造の簡略化された概略図を提供する。ＬＴＥのネットワークにおいて、アップリンクのワイヤレス・アクセス・インターフェースはシングルキャリア周波数分割多元ＦＤＭ（ＳＣ−ＦＤＭ）インターフェースに基づいており、ダウンリンク及びアップリンクのワイヤレス・アクセス・インターフェースは周波数分割複信（ＦＤＤ）又は時分割複信（ＴＤＤ）によって提供されてよく、ＴＤＤを実装した場合には、サブフレームはあらかじめ決められたパターンに従ってアップリンクのサブフレームとダウンリンクのサブフレームとの間で切替わる。しかしながら、用いられる複信の形態を問わず、共通アップリンク・フレーム構造が用いられる。図３の簡略化された構造は、ＦＤＤを実装した場合におけるそのようなアップリンク・フレームを示す。フレーム３００は１ｍｓの長さの１０個のサブフレーム３０１に分割され、ここで各サブフレーム３０１は０．５ｍｓの長さの２つのスロット３０２を含む。次いで各スロットは７個のＯＦＤＭシンボル３０３から形成され、巡回プレフィックス３０４が、ダウンリンクサブフレーム間と同じ仕方で各シンボル間に挿入される。図３に示されるＬＴＥのアップリンクのさらなる詳細は付録１に提供される。
【００５０】
ＬＴＥのデータ又はデータグラムは、ダウンリンク上のＰＤＳＣＨで伝送され、且つアップリンクにおいてはＰＵＳＣＨで伝送される。ＰＤＳＣＨ及びＰＵＳＣＨ上のリソースは、基地局によって端末デバイスに割当てられる。３ＧＰＰのリリース１１以前は、ＰＤＣＣＨはこれらのチャネルを割当てるために用いられていた。リリース１１からは、拡張型ＰＤＣＣＨ（ｅＰＤＣＣＨ）を用いてこれらのチャネルを割当てることも可能となっている。
【００５１】
ｅＰＤＣＣＨの構造
図４はｅＰＤＣＣＨがＬＴＥ規格に従ったワイヤレス・アクセス・インターフェースの一部を形成するサブフレームの概略図を提供する。図４に示されるように、従来の制御チャネル領域４００がサブフレーム４０１内に示されており、従来の制御チャネル領域４００はサブフレーム４０１の１〜３のＯＦＤＭシンボルの最初において伝送される。この例示的な制御チャネルは従来のＰＤＣＣＨ４００に対応し、ワイヤレス・アクセス・インターフェースの利用可能な帯域幅に亘って伝送される。対照的に、局所（ｌｏｃａｌｉｓｅｄ）拡張型ＰＤＣＣＨ４０２は周波数サブキャリア４０６の狭帯域内でサブフレーム４０４の残りの部分に亘って時間的に適宜伝送される。ｅＰＤＣＣＨ４０８の代替例は、ｅＰＤＣＣＨが２つの物理リソースブロックに亘って分散されるように、周波数の第１のグループに亘って伝送される第１の部分４１０、及び周波数の第２のグループにおいて伝送される第２の部分４１２を含む。
【００５２】
上記したように、ＬＴＥ規格に従ったワイヤレス・アクセス・インターフェースは、ダウンリンクにおいてＰＤＳＣＨ及びアップリンクでＰＵＳＣＨにて、例えばユーザデータ等の非アクセス層のデータの伝送を提供する。ＰＤＳＣＨ及びＰＵＳＣＨ上の通信リソースエレメントは基地局によってＵＥへ割当てられる。３ＧＰＰのリリース１１以前は、ＰＤＣＣＨはこれらのチャネルを割当てるために用いられていた。リリース１１からは、拡張型ＰＤＣＣＨ（ｅＰＤＣＣＨ）を用いてこれらのチャネルを割当てることも可能となっている。それゆえ、実際には、図４に示される例では、同一の制御チャネル情報が、図４に示される制御チャネル構成のうちのいずれかの構成について、ＰＤＣＣＨ４００上又はｅＰＤＣＣＨ４０２、４０８上で伝送されることができる。
【００５３】
図４から理解可能なように、ｅＰＤＣＣＨは実質的に狭帯域制御チャネルである。図４に示されるように、ｅＰＤＣＣＨは、第１の例４０２として示される局所モード又は第２の例４０８として示される分散モードのいずれかにおいて伝送可能である。割当ての局所モードの例として、ｅＰＤＣＣＨは単一のＰＲＢ（物理リソースブロック＝１２ＯＦＤＭサブキャリア）内に置かれることができる。ｅＰＤＣＣＨはまた複数のＰＲＢの隣接するセット内に置かれることもできる。基地局（ｅＮｏｄｅＢ）が端末デバイス（ＵＥ）のチャネル状況について知識を有する場合、その端末デバイスについて特に好適なチャネル状況を有する物理リソースブロック（ＰＲＢ）を選択する（例えばフェージングを回避する）ことができる。基地局は、その端末デバイスをねらってビームを生成するために、ビームフォーミングコードブックのエントリを選択することもできる。
【００５４】
割当ての分散モードでは、ｅＰＤＣＣＨは少なくとも２つのＰＲＢ内に置かれる。基地局が端末デバイスにおける無線チャネル状況を表す測定結果又は標識を有さない場合、割当てについてのこのモードは好適である。このことは、端末デバイスが高速で動作しているゆえに、例えばその端末デバイスからのフィードバックが基地局に到着したときには古くなっている場合、又は基地局からの専用のビームが端末デバイスの位置を十分に迅速に追跡できない場合、或いはＵＥが例えば低データレートのバースト性トラフィックモデルで動作しているときにその端末デバイスからのフィードバックが断続的である場合に、生じ得る。
【００５５】
カバレッジ拡張及びＭＤＰＣＣＨ
低複雑性マシン型通信（ＬＣ−ＭＴＣ）端末デバイス（ＵＥ）が３ＧＰＰにおいて現在、指定されている。ＬＣ−ＭＴＣのＵＥの主な特徴は低複雑性（それゆえに低コスト）、カバレッジ拡張、及び低減された電力消費である。
【００５６】
ＬＣ−ＭＴＣのＵＥについて複雑性を低減するための主な技術は６ＰＲＢ内で動作するようにＵＥを制限することである。それゆえ、ワイヤレス遠隔通信システムの帯域幅は複数の６ＰＲＢの狭帯域に分割され、ＬＣ−ＭＴＣのＵＥはそれらの狭帯域のいずれかに合わせることができる見通しである。
【００５７】
カバレッジ拡張（ＣＥ）の構成において、ＬＣ−ＭＴＣのためのカバレッジは、１５ｄＢだけ拡張される（Ｃａｔ−１のＵＥのカバレッジと比較して）。ＣＥのための主な技術は、同一メッセージの多数回の繰返し送信を介することである。
【００５８】
ダウンリンク制御情報（ＤＣＩ）が、スケジューリング及び制御目的のために、ｅＮＢによってＵＥへと送信される。レガシーシステムにおいて、ＤＣＩは上述したように拡張型物理ダウンリンク制御チャネル（ＥＰＤＣＣＨ）を用いて送信可能である。複数のＥＰＤＣＣＨ候補が存在し、各ＥＰＤＣＣＨ候補は異なるリソースを占有する。これらの候補はＵＥにシグナリングされ、異なるＥＰＤＣＣＨ候補のセットはサーチスペースを形成する。ｅＮＢはＥＰＤＣＣＨ候補のうちの１つを用いてＤＣＩを送信し、その後ＵＥはＥＰＤＣＣＨについてブラインド復号する必要がある、すなわちＵＥがｅＮＢによって用いられるＥＰＤＣＣＨを検出するまでサーチスペース内で、可能性のあるあらゆるＥＰＤＣＣＨ候補を調べる必要がある。なお、ｅＮＢは任意のＤＣＩをＵＥに送信しない場合があり、この場合、ＵＥはＥＰＤＣＣＨの検出を行わないことに留意されたい。
【００５９】
ＬＣ−ＭＴＣのために、ＤＣＩはＭＰＤＣＣＨ（ここで「Ｍ」は現在、「マシン」を表すと理解される）によって搬送される。ＭＰＤＣＣＨはＥＰＤＣＣＨのデザインに基づく。カバレッジ拡張モードにおいて、ＭＰＤＣＣＨは、不十分なカバレッジ・エリア内でも、ＭＰＤＣＣＨによって搬送される制御情報をＬＣ−ＭＴＣのＵＥが決定できるように、複数のサブフレームに亘って繰返し送信される。ＤＣＩを含むＭＤＰＣＣＨは制御情報の一例であり、制御情報は基地局から端末デバイスへの無線伝送のためのダウンリンク無線リソース及び／又は端末デバイスから基地局への無線伝送のためのアップリンク無線リソースをスケジューリングする任意の情報である。
【００６０】
ＰＤＳＣＨ（ダウンリンク）及び／又はＰＵＳＣＨ（アップリンク）のチャネルのためにＭＰＤＣＣＨの制御情報によってスケジューリングされる無線リソースは、ＭＰＤＣＣＨ伝送の終りの後に、既知のオフセットで開始することが３ＧＰＰで取り決められている。すなわち、ＭＰＤＣＣＨがサブフレームｎで終了した場合、ＰＤＳＣＨ（又はＰＵＳＣＨ）はサブフレームｎ＋ｋ（ここでｋは既知のオフセット）で開始する。
【００６１】
前述したように、カバレッジ拡張（ＣＥ）領域においてＬＣ−ＭＴＣのＵＥに到達するために、ＭＰＤＣＣＨは多数回、繰返し送信される必要がある。１つのＣＥレベルのサーチスペースにおいて、ＭＰＤＣＣＨのために様々な回数の繰返し送信が利用可能であること、及びＬＣ−ＭＴＣは利用される繰返し送信のためにブラインド復号を行うことが３ＧＰＰにおいて取り決められた。それゆえ、ＭＰＤＣＣＨ候補は様々な繰返し送信を有することができる。図５は３つの異なるＭＰＤＣＣＨの繰返し送信の例示的なサーチスペースを示し、ここでＲ３（１つの候補）＞Ｒ２（２つの候補）＞Ｒ１（４つの候補）である。より明確にするために、ＭＰＤＣＣＨの繰返し送信Ｒ３は最も多い繰返し回数を有する（最も不十分な無線状況を表す）、その次に多いものがＲ２、その次に多いものがＲ１である。図５は、異なるＭＰＤＣＣＨの繰返し送信がサーチスペース内に構成される仕方の例示的な図を示す。ここで１つのインスタンス（時間τθ〜τ４）があり、ＭＰＤＣＣＨ候補はＲ３の繰返し送信でそのサーチスペース内に生じることができる。２つのインスタンス（時間τ０〜τ２及び時間τ２〜τ４）があり、ここでＭＰＤＣＣＨ候補はＲ２の繰返し送信でそのサーチスペース内に生じることができ、及び４つのインスタンス（時間τ０〜τ１、時間τ１〜τ２、時間τ２〜τ３及び時間τ３〜τ４）があり、ここでＭＰＤＣＣＨ候補はそのサーチスペース内に生じることができる。
【００６２】
図５において、サーチスペースは時間τ０で始まり、ＬＣ−ＭＴＣのＵＥはＭＰＤＣＣＨについて累積（及び復号）を開始する。より好適な無線状況にあるＬＣ−ＭＴＣのＵＥは、伝送された繰返し送信未満でＭＰＤＣＣＨを復号することができる。例えば、ｅＮＢがＤＣＩを送信するために繰返し送信Ｒ３でＭＰＤＣＣＨを用いた場合、良い無線状況にあるＵＥはこの候補をＲ２の繰返し送信のみで復号することができ、そしてその復号を時間τ２で完了する（予期された時間τ４の代わりに）。しかしながら、ＰＤＳＣＨ（又はＰＵＳＣＨ）は、ＭＰＤＣＣＨの終りの後で、固定された時間オフセット、例えばτｋで開始し、ＬＣ−ＭＴＣのＵＥはＭＰＤＣＣＨについて用いられる繰返し送信レベルについて事前の知識を有していないので、ＵＥは、Ｒ３のＭＰＤＣＣＨが繰返し送信Ｒ２で送信されることを誤って想定し（というのも復号が時間τ４の代わりに時間τ２において完了されたゆえ）、それゆえ時間τ２＋τｋで開始するようにＰＤＳＣＨ（又はＰＵＳＣＨ）を誤って決定してしまうだろう。これが誤りである理由は、意図されたＰＤＳＣＨ（又はＰＵＳＣＨ）は実際には時間τ４＋τｋで開始するからである。このことはＰＤＳＣＨ受信の失敗（又はＰＵＳＣＨ送信の失敗）という結果になるだろう。なお、ＭＰＤＣＣＨの繰返し送信レベルは当該技術分野において公知である任意の適切な方法を用いてｅＮＢによって決定されてよいことに留意されたい。例えば、繰返し送信レベルはＵＥ、トライアルアンドエラー、ネットワーク輻輳等からのフィードバックに基づいて決定されてもよい。
【００６３】
なお、この問題を克服する試みにおいて多くの解決策が提案されていることに留意されたい。
【００６４】
ある提案において、サブフレームのオフセットｋが、サーチスペースにおける最大の可能なＭＰＤＣＣＨの繰返し送信に関連している。すなわち、最も多い可能な繰返し送信でのＭＰＤＣＣＨがサブフレームｎで終わる場合、ＰＤＳＣＨ（又はＰＵＳＣＨ）はサブフレームｎ＋ｋで開始する。それゆえ、図６に示されるように３つの繰返し送信Ｒ１、Ｒ２及びＲ３がある場合、ＰＤＳＣＨ（又はＰＵＳＣＨ）は常に時間τ５で開始する。このことは、ＰＤＳＣＨ受信（又はＰＵＳＣＨ送信）がＲ１及びＲ２（これらは大多数のケースにおいて用いられる）等のより少ない繰返し送信については遅延されるという不利益を有する。さらに、この方法は、時間τ１と時間τ４との間においてなにもスケジューリングできないので、ＰＤＳＣＨ（又はＰＵＳＣＨ）をスケジューリングする機会を減らす。
【００６５】
別の提案において、ＭＰＤＣＣＨの繰返し送信はＤＣＩ内で指示される。しかしながら、これは、ＤＣＩのサイズを増加させる点で不利益を有する。３ＧＰＰにおいて一般的なコンセンサスは、より多い繰返し送信の発生を回避するためにＤＣＩのサイズを低減することである。それゆえ、この方法はＤＣＩサイズを低減する必要性に反し、所望されていない。
【００６６】
別の提案では、対応するＰＤＳＣＨ又はＰＵＳＣＨの開始位置がＤＣＩ内で指示される。ＤＣＩにおいてＭＰＤＣＣＨの繰返し送信を指示する提案に類似し、これはＤＣＩのサイズを増加させるだろう。
【００６７】
別の提案では、リソースエレメント（ＲＥ）マッピングへのシンボルは異なる繰返し送信に対して異なる。しかしながら、このことの不利益は、ＲＥマッピングへの変更はＵＥの複雑性を概して増加させることである。
【００６８】
それゆえ、本技術は前述で提案された解決策の不利益な結果を低減する一方で、ＰＤＳＣＨ（又はＰＵＳＣＨ）のサブフレームのオフセットに関連する上述の問題を緩和することを目指す。
【００６９】
本技術において、異なるスクランブリングが異なるＭＰＤＣＣＨの繰返し送信に適用される。例えば図５において、繰返し送信Ｒ１での全てのＭＰＤＣＣＨ候補はスクランブリング・コードＳ１を利用し、繰返し送信Ｒ２での全てのＭＰＤＣＣＨ候補はスクランブリング・コードＳ２を使用し、繰返し送信Ｒ３でのＭＰＤＣＣＨ候補はスクランブリング・コードＳ３を使用する。スクランブリングは、狭帯域無線シグナリングを用いるＬＣ−ＭＴＣ端末デバイスへのＭＰＤＣＣＨの伝送に先立ち、基地局によって適用される。ＬＣ−ＭＴＣ端末デバイスは、次いで、異なるスクランブリング・コードの各々を用いて、受信されたＭＰＤＣＣＨのデスクランブリングを行うことを試みる。ＬＣ−ＭＴＣは次いで、ＭＰＤＣＣＨを首尾良くデスクランブリングする特定のスクランブリング・コードに基づき、どの繰返し送信が用いられたかを知る。例えば、スクランブリング・コードＳ２がＭＰＤＣＣＨを首尾良くデスクランブリングする場合、次いでＬＣ−ＭＴＣは繰返し送信Ｒ２が用いられたことを知り、スクランブリング・コードＳ３がＭＰＤＣＣＨを首尾良くデスクランブリングする場合、次いでＬＣ−ＭＴＣは繰返し送信Ｒ３が用いられたことを知る、等である。有利にも、ＭＰＤＣＣＨの繰返し送信はＬＣ−ＭＴＣによって知られるので、ＬＣ−ＭＴＣは次いで、ＭＰＤＣＣＨの繰返し送信が生じる時間に基づいて、いつＰＤＳＣＨが受信され（又はいつＰＵＳＣＨが送信され）るかを知り、且つオフセットｋに関する時間（すなわちτｋ）を知る。ＭＤＰＣＣＨが早期に復号された場合でも、ＰＤＳＣＨ受信（又はＰＵＳＣＨ送信）はこうして首尾良く生じることができる。
【００７０】
例えば、予期された時間τ４の代わりに、より早期の時間τ２において復号を終えるように、ＬＣ−ＭＴＣが繰返し送信Ｒ３で早期にＭＰＤＣＣＨを復号する前述の例を取る。ＬＣ−ＭＴＣは、ＭＰＤＣＣＨが繰返し送信Ｒ３を有することを（スクランブリングから）知るので、ＰＤＳＣＨ受信（又はＰＵＳＣＨ送信）時間をτ２＋τｋ（τ２はＭＰＤＣＣＨのＲ２に関連付けられた時間）に不正確に決定するのではなく、ＰＤＳＣＨ受信（又はＰＵＳＣＨ送信）時間を、τ４＋τｋ（τ４はＭＰＤＣＣＨのＲ３に関連付けられた時間）に、引き続き正しく決定する。ＰＤＳＣＨ受信（又はＰＵＳＣＨ送信）は本技術を用い、このように首尾良く生じる。
【００７１】
このように、本技術の一実施形態において、ＬＣ−ＭＴＣの端末デバイス１０４ａのコントローラ１２０は、ワイヤレス遠隔通信システムのカバレッジ拡張モードにおいて、基地局１０１ａから制御情報を（例えばＭＰＤＣＣＨの形で）受信するように、ＬＣ−ＭＴＣのレシーバ１１８を制御する。制御情報は基地局からのダウンリンク無線シグナリングのためにダウンリンク無線リソースを（例えばＰＤＳＣＨの形で）スケジューリングする。制御情報はまた、基地局へのアップリンク無線シグナリングのために、アップリンク無線リソースを（例えばＰＵＳＣＨの形で）スケジューリングしてもよい。カバレッジ拡張モードは端末デバイスへの制御情報の伝送が複数回、繰返し送信されるモードである。制御情報は、制御情報の伝送が繰返し送信される回数に従って、基地局１０１ａのコントローラ１１４によってスクランブリングされる。コントローラ１２０は制御情報の伝送が繰返し送信される回数を決定するために制御情報をデスクランブリングする。さらに、コントローラ１２０は、制御情報の最終の繰返し送信の伝送の後（これは、例えばＭＰＤＣＣＨの繰返し送信Ｒ３についての時間τ４、又はＭＰＤＣＣＨの繰返し送信Ｒ２についての時間τ２の終りを指示している）、所定期間（時間τｋ）が経過した後に、制御情報によってスケジューリングされたダウンリンク無線リソースを用いて、基地局からダウンリンク無線シグナリングを受信させるように、レシーバ１１８を制御する。コントローラ１２０はまた、制御情報の最終の繰返し送信の伝送の後、所定期間（時間τｋ）が経過した後に、制御情報によってスケジューリングされたアップリンク無線リソースを用いて、基地局へアップリンク無線シグナリングを送信させるように、レシーバ１１８を制御してもよい。
【００７２】
従って、制御情報は、基地局１０１ａとＬＣ−ＭＴＣの端末デバイス１０４ａとの間のアップリンク及び／又はダウンリンクの無線シグナリングのために無線リソースをスケジューリングしてよいことに留意されたい。言い換えれば、制御情報は、概して、基地局１０１ａとＬＣ−ＭＴＣの端末デバイス１０４ａとの間の無線シグナリングのために無線リソースをスケジューリングしてよい。基地局１０１ａのレシーバ１１２及びトランスミッタ１１０は、ＬＣ−ＭＴＣ１０４ａから無線シグナリングの受信、及びＬＣ−ＭＴＣ１０４ａへ無線シグナリング（制御情報を含む）の送信の両方が可能であるトランシーバとして機能することに留意されたい。同様に、ＬＣ−ＭＴＣ１０４ａのレシーバ１１８及びトランスミッタ１２０は、基地局１０１ａから無線シグナリング（制御情報を含む）の受信、及び基地局１０１ａへ無線シグナリングの送信の両方が可能であるトランシーバとして機能する。
【００７３】
一実施形態において、制御情報は、制御情報の伝送が繰返し送信される回数に関連付けられたスクランブリング・コードを用いてスクランブリングされ、このスクランブリング・コードは、制御情報の伝送が繰返し送信可能である夫々の回数（繰返し送信回数）に各々関連付けられた複数の所定のスクランブリング・コードのうちの１つである。従って、図５の例において、複数の所定のスクランブリング・コードは、コードＳ１（繰返し送信回数Ｒ１に関連付けられ、繰返し送信回数Ｒ１で制御情報をスクランブリングするために用いられる）、コードＳ２（繰返し送信回数Ｒ２に関連付けられ、繰返し送信回数Ｒ２で制御情報をスクランブリングするために用いられる）、コードＳ３（繰返し送信回数Ｒ３に関連付けられ、繰返し送信回数Ｒ３で制御情報をスクランブリングするために用いられる）を含む。ＬＣ−ＭＴＣのコントローラ１２０は、このように、複数の所定のスクランブリング・コードにおける各スクランブリング・コードを用いてデスクランブリングプロセスを実行する（このように、図１の例において、コントローラ１２０は、コードＳ１、Ｓ２及びＳ３の各々を用いて、受信された制御情報をデスクランブリングすることを試みる）。コントローラ１２０は次いで、複数の所定のスクランブリング・コードにおけるどのスクランブリング・コードが制御情報を連続してデスクランブリングするかを決定し、且つ、制御情報を連続してデスクランブリングするスクランブリング・コードに関連付けられた繰返し送信回数を制御情報の伝送が繰返し送信される回数として決定する。このように、図１の例において、制御情報がスクランブリング・コードＳ３で首尾良くデスクランブリングされる場合、次いでコントローラ１２０は制御情報の繰返し送信回数をＲ３に決定する。というのも、これはスクランブリング・コードＳ３が関連付けられた繰返し送信回数だからである。
【００７４】
一実施形態において、基地局において、制御情報をスクランブリングするために用いられるスクランブリング・コードは、ＬＣ−ＭＴＣに伝送される制御情報を含む信号の巡回冗長検査（ＣＲＣ）に対してマスキングされる。この場合、各々異なる繰返し送信が異なる識別子に関連付けられる。各々異なる識別子は、例えば無線ネットワーク仮（一時）識別子（ＲＮＴＩ）であってもよい。特に、各々異なる識別子は、制御情報の繰返し送信の関数であるＬＣ−ＭＴＣのＲＮＴＩ（例えば、Ｃ−ＲＮＴＩ）であってよい。例えば、ＵＥのＲＮＴＩがＩＤＵＥであり、ＭＰＤＣＣＨについて用いられる繰返し送信がＲＭＰＤＣＣＨである場合、ＣＲＣをマスキングするために用いられるスクランブリング・コードを決定するために用いられるＲＮＴＩのＩＤＣＲＣは、以下の様である。
【数１】
2018525931.tif 000003
【００７５】
すなわち、各々のスクランブリング・コードはＬＣ−ＭＴＣの端末デバイスの識別子と、制御情報の伝送が繰返し送信可能である所定の回数のうちの異なる回数との関数である。なお、この場合、ＬＣ−ＭＴＣ１０４ａは、様々なスクランブリング・コードを、ＣＲＣレベルにおいて（すなわち図８のステップ８００において。下記を参照）基地局１０１ａから受信された制御情報を含む信号に適用することに留意されたい。しかしながら、このアプローチには１つ問題があり、それは識別子の衝突（レアケースである）を生じる場合があることである。例えば、１つのＵＥのＩＤＣＲＣは別のＵＥのＩＤＣＲＣとクラッシュする場合がある。
【００７６】
別の実施形態において、制御情報をスクランブリングするために用いられるスクランブリング・コードは、ＬＣ−ＭＴＣへ伝送される制御情報を含む信号のチャネル符号化（例えば畳み込み符号化）に先立ち、情報ビットに対してマスキングされる。これについての例は図７に示され、図７は、ＬＣ−ＭＴＣへ伝送される制御情報を含む信号７０１について、基地局１０１ａのコントローラ１１４によって実行されるＣＲＣ７００、チャネルコード化７０４、レート・マッチング７０６のステップを示す。図７において、情報ビットは、
【数２】
2018525931.tif 000004
であり、スクランブリング・コードは、
【数３】
2018525931.tif 000005
であり、結果出力は、
【数４】
2018525931.tif 000006
である。チャネル符号化に先立っての、スクランブリング・コードの情報ビットに対するマスキングはステップ７０２に示される。この実施形態の有利な側面は、スクランブリング・コードのＣＲＣに対するマスキングとは異なり、ＲＮＴＩを使い切らず、それによりＲＮＴＩの衝突の（わずかな）可能性を低減する。さらに、端末デバイス側において、ＬＣ−ＭＴＣの端末デバイス１０４ａは、異なるスクランブリング・コードを試すのに先立ち、多数の復号処理を実行することができる。有利にも、このことは、その処理、集中的なチャネル復号が一度だけ行われることを意味する。図８は、基地局１０１ａから受信された制御情報を含む信号８０１について、ＬＣ−ＭＴＣ１０４ａのコントローラ１２０によって実行されるＣＲＣ８００、チャネル復号８０４、及び逆レート・マッチング８０６のステップを示す。ステップ８０４でチャネル復号が行われた後、ステップ８０２において異なるスクランブリング・コードが信号に適用されることが理解可能である。
【００７７】
別の実施形態において、制御情報をスクランブリングするために用いられるスクランブリング・コードは、信号のチャネル符号化７０４の後（すなわちチャネル符号化７０４の出力時に）、ＬＣ−ＭＴＣに伝送される制御情報を含む信号に適用される。この場合、繰返し送信レベルを復号する試みに先立って、ＬＣ−ＭＴＣの繰返し送信の復号されたシンボルは、復号に先立って、繰返し送信レベル固有のスクランブリング・コードでデスクランブリングされる。すなわち、ＬＣ−ＭＴＣはステップ８０４におけるチャンネル復号に先立って異なるスクランブリング・コードを適用する。基地局において、コード化されたビットストリームが、
【数５】
2018525931.tif 000007
であり、スクランブリング・コード・シーケンスが、
【数６】
2018525931.tif 000008
である場合、レート・マッチングされ、伝送される結果のシンボルストリームＸは、
【数７】
2018525931.tif 000009
である。
【００７８】
別の実施形態において、スクランブリングはシンボルレベルにおいて実行される。すなわち、繰返し送信レベルのスクランブリング・コードＳはシンボルに対してマスキングされる。言い換えれば、制御情報をスクランブリングするために用いられるスクランブリング・コードは、ＬＣ−ＭＴＣへ伝送されるチャンネル符号化された制御情報の変調されたシンボルに対してマスキングされる。すなわち、ＤＣＩの変調されたシンボルが、
【数８】
2018525931.tif 000010
であり、スクランブリング・コード・シーケンスが、
【数９】
2018525931.tif 000011
である場合、伝送される結果のシンボルストリームＸは以下の様である。
【数１０】
2018525931.tif 000012
【００７９】
この場合、ＬＣ−ＭＴＣは、異なるスクランブリング・コードを、基地局から受信される（チャンネル符号化及び変調された）制御情報を含む変調されたシンボルに適用する。これは復調プロセスに先立って（図８における逆レート・マッチング８０６の前に）生じる。
【００８０】
別の実施形態において、スクランブリングはＲＥレベルにおいて実行される。すなわち、繰返し送信レベルのスクランブリング・コードＳはＰＲＢ対のリソースエレメント（ＲＥ）に対してマスキングされる。言い換えれば、（チャンネル符号化及び変調された）制御情報をスクランブリングするために用いられるスクランブリング・コードはＬＣ−ＴＭＣに伝送される対のＰＲＢの無線リソースエレメントに対してマスキングされる。ＰＲＢ対におけるＲＥの例は図９に示され、ここでＲＥは、
【数１１】
2018525931.tif 000013
と示され、ここでＭはＰＲＢ対におけるＲＥの数である（通常はＭ＝１６８）。スクランブリング・コード
【数１２】
2018525931.tif 000014
はそれゆえＲＥでマスキングされ、結果の出力Ｘを与える。
【数１３】
2018525931.tif 000015
【００８１】
この場合、ＬＣ−ＭＴＣは異なるスクランブリング・コードを、基地局から受信されるチャンネル符号化及び変調された制御情報の対のＰＲＢの無線リソースエレメントに適用する。このことは、変調プロセスに先立って（図８における逆レート・マッチングのステップ８０６に先立って）生じる。
【００８２】
ＭＰＤＣＣＨが繰返し送信されるサブフレームはＲＥマッピングへの同一のシンボルを有さない場合があり、すなわち一部のサブフレームにおける一部のＲＥはＭＰＤＣＣＨを含むことができない場合があり、それゆえ、ＲＥレベルのスクランブリングを適用することによって、一部のＲＥがＭＰＤＣＣＨシンボルを含まない場合かどうかにかかわらず、ＲＥマッピングへの同一のスクランブリング・コードが全てのサブフレームにおいて用いられる。
【００８３】
制御情報の繰返し送信を決定するために異なる各スクランブリング・コードを試すことは、特に、可能な繰返し送信回数の回数が多い場合（とはいえ、情報ビットレベルのエフォートでのデスクランブリングはシンボルレベルのそれらよりも少ない。なぜならチャネル復号が情報ビットレベルの場合については一度のみ実行されるからである。）、必要とされるＬＣ−ＭＴＣのブラインド復号処理の回数を増加させる。別の実施形態において、同一のスクランブリング・コードが複数の繰返し送信回数について用いられる。言い換えれば、２つ以上の異なる繰返し送信回数が、同一の共有スクランブリング・コードに各々関連付けられる。例えば、４回の繰返し送信回数、すなわち繰返し送信回数Ｒ１、Ｒ２、Ｒ３、及びＲ４（ここでＲ４＞Ｒ３＞Ｒ２＞Ｒ１）がある場合、スクランブリング・コードＳ１は繰返し送信Ｒ１及びＲ３について用いられてよく、他方でスクランブリング・コードＳ２は繰返し送信Ｒ４及びＲ２について用いられてよい。これはＬＣ−ＭＴＣにおけるスクランブリングのブラインド復号の回数を低減する。共有スクランブリング・コードを用いて制御情報を首尾良くデスクランブリングした後、ＬＣ−ＭＴＣは複数の候補繰返し送信回数を有する。従って、上述の例を用いると、スクランブリング・コードＳ２を用いて制御情報が首尾良く復号される場合、ＬＣ−ＭＴＣは繰返し送信回数がＲ２又はＲ４のいずれかであることを知る。１つの可能なグループ化がこのように実施されると、その結果として、グループ化された繰返し送信、例えばＲ４及びＲ２が曖昧さを生じる可能性は低い。なぜならば、Ｒ４の繰返し送信を要求するＵＥが、ちょうどＲ２のサンプルを使用してＲ４の繰返し送信でＭＰＤＣＣＨを復号することができる可能性は低いからである（すなわち、グループの繰返し送信間の分離は最大化される）。この場合、ＬＣ−ＭＴＣはデスクランブリングの後、制御情報を復号するためにかかる時間に基づいて使用される正確な繰返し送信を知る。例えば、デスクランブリングされたＭＰＤＣＣＨが時間τ２において復号される場合、ＬＣ−ＭＴＣは繰返し送信がＲ２であることを知る。他方でデスクランブリングされたＭＰＤＣＣＨが時間τ４においてデスクランブリングされた場合、ＬＣ−ＭＴＣは繰返し送信がＲ４であることを知る。
【００８４】
前述したように、ＭＰＤＣＣＨの繰返し送信レベルがＤＣＩ内で指示されている（すなわち繰返し送信回数が制御情報それ自体の中に含まれる）ことが従来技術において提案されている。しかしながら、これは、特に、可能な繰返し送信回数の回数が多い場合に、制御情報のサイズを増加させ、所望されない。他方で、制御情報に繰返し送信回数を含まず、その代わりに可能な繰返し送信回数を各々表す多数の異なるスクランブリング・コード（上述のように）を有することは、結果として、各々異なるスクランブリング・コードが試みられるので、ＬＣ−ＭＴＣによって実行される必要のあるブラインド復号は多数の回数となる。このこともまた所望されていないだろう。それゆえ１つの解決策として、別の実施形態において、各スクランブリング・コードは、繰返し送信のグループ（前述の段落の本実施形態の通り）について用いられ、制御情報における標識はグループ内の異なる繰返し送信間を区別する。有利にも、このことは、必要とされるスクランブリング・コードのブラインド復号の試みの数を低減し、同時に制御情報のサイズを低減する（例えば、ＭＰＤＣＣＨの繰返し送信を示すために必要とされるＤＣＩビットの数が低減される）。
【００８５】
別の実施形態において、異なる繰返し送信のために制御情報の異なるスクランブリングを用いる代わりに、異なるインターリービングが異なる繰返し送信のために用いられる。インターリービングは再順序化のプロセスである。例えば、伝送される制御情報を含む信号の情報ビットを考える。情報ビットのシーケンス
【数１４】
2018525931.tif 000016
を有する場合、インターリービング機能はこのシーケンスを
【数１５】
2018525931.tif 000017
に再順序化し得て、さらに別には、
【数１６】
2018525931.tif 000018
であり得る。それゆえ、異なる再順序化、すなわちインターリービングを異なる繰返し送信に適用することによって、ＬＣ−ＭＴＣデバイスは１つの繰返し送信と別の繰返し送信とを区別することができる。
【００８６】
このようなインターリービングの実施形態において、制御情報は制御情報の伝送が繰返し送信される回数に関連付けられたインターリービング機能を用いてインターリーブされ、このインターリービング機能は、制御情報の伝送が繰返し送信可能である夫々の回数（繰返し送信回数）に各々関連付けられた複数の所定のインターリービング機能の１つである。従って、図５の例において、複数の所定のインターリービング機能は機能Ｉ１（繰返し送信回数Ｒ１に関連付けられ、且つ繰返し送信回数Ｒ１を用いて制御情報をインターリーブするために用いられる）、機能Ｉ２（繰返し送信回数Ｒ２に関連付けられ、且つ繰返し送信回数Ｒ２を用いて制御情報をインターリーブするために用いられる）、及び機能Ｉ３（繰返し送信回数Ｒ３に関連付けられ、繰返し送信回数Ｒ３を用いて制御情報をインターリーブするために用いられる）を含む。ＬＣ−ＭＴＣのコントローラ１２０は、複数の所定のインターリービング機能において各インターリービング機能を用いてデインターリービングプロセスを実行する（このように、図１の例において、コントローラ１２０は機能Ｉ１、Ｉ２及びＩ３の各々を用いて受信された制御情報をデインターリービングすることを試みる）。コントローラ１２０は次いで、複数の所定のインターリービング機能においてどのインターリービング機能が制御情報を連続的にデインターリーブするかを決定し、且つその制御情報を連続してデインターリーブするインターリービング機能に関連付けられた繰返し送信回数を制御情報の伝送が繰返し送信される回数として決定する。このように、図１の例において、制御情報がインターリービング機能Ｉ３を用いて首尾良くデインターリーブされた場合、コントローラ１２０は次いで制御情報の繰返し送信回数をＲ３に決定する。なぜならば、これはインターリービング機能Ｉ３が関連付けられた繰返し送信回数だからである。
【００８７】
インターリービング（及びデインターリービング）は上述の実施形態のいずれかについてのスクランブリング（及びデスクランブリング）の代わりに適用されてよい。特に、制御情報を含む信号の情報ビットについてインターリービングを用いることは有利である。すなわち、制御情報をインターリービングするために用いられるインターリービング機能はチャネル符号化（例えば畳み込み符号化）に先立ってＬＣ−ＭＴＣに伝送される制御情報を含む情報ビットに対して適用される。このように、図７において、インターリービング機能Ｉ（ＲＭＰＤＣＣＨ）は、ステップ７０４におけるチャネルコード化に先立って情報ビット
【数１７】
2018525931.tif 000019
に適用され、ここでＲＭＰＤＣＣＨはＭＰＤＣＣＨ上で用いられる繰返し送信である。なお、スクランブリング及びインターリービングの両方は、本開示においては概してコード化として言及されることに留意されたい。すなわち、制御情報は、制御情報の伝送が繰返し送信される回数に従ってコード化される。どのようなコード化のタイプが用いられるにせよ、各々可能な繰返し送信回数はそのコード化の夫々のコード化スキームに関連付けられる。このように、例えばスクランブリングがコード化として用いられる場合、次いで各異なる繰返し送信回数は夫々のスクランブリング・コードに関連付けられ、各スクランブリング・コードはスクランブリングのコード化スキームである。代替的に、インターリービングがコード化として用いられる場合、各異なる繰返し送信回数は夫々のインターリービング機能に関連付けられ、各インターリービング機能はインターリービングのコード化スキームである。ＬＴ−ＭＴＣのコントローラ１２０は、従って、制御情報が首尾良く復号されるまで、各可能なコード化スキーム（例えば各スクランブリング・コード又は各インターリービング機能）を試みることによって、制御情報の伝送が繰返し送信される回数を決定するために、その制御情報を復号するように動作可能である。繰返し送信回数は、制御情報を首尾良く復号する固有のコード化スキーム（例えば固有のスクランブリング・コード又はインターリービング機能）に依存して、ＬＣ−ＭＴＣによって決定される。
【００８８】
なお、一実施形態において、ＬＣ−ＭＴＣ１０４ａが、制御情報の繰返し送信された伝送が完了される前に制御情報を首尾良く決定する場合、ＬＣ−ＭＴＣのコントローラ１２０は、ダウンリンク無線シグナリング（ＰＤＳＣＨ等）を受信するための所定期間が経過するまで、ＬＣ−ＭＴＣのレシーバ１１８を制御してシャットダウンさせてもよいことに留意されたい。例えば、制御情報の繰返し送信がＲ３（これは期間τ４に亘って繰返し送信される）である場合、ＬＣ−ＭＴＣは時間τ２における繰返し送信の一部分のみの後、制御情報を決定することができるが、コントローラ１２０は次いで、ＰＤＳＣＨ（τ４＋τｋ）を受信するための時間が経過するまで、レシーバ１１８を制御してシャットダウンさせる。有利にも、このことはレシーバ１１８の電力消費を低減する結果となる。
【００８９】
本技術の様々な構成は以下の番号が付された項において概して記載され得る。
【００９０】
（項目１）
ワイヤレス遠隔通信システムにおいて使用するための端末デバイスであって、
上記ワイヤレス遠隔通信システムの帯域幅のうちの所定の狭帯域を使用して、基地局と無線シグナリングを実行するように動作可能なトランシーバと、
コントローラとを備え、
上記コントローラは、
上記ワイヤレス遠隔通信システムのカバレッジ拡張モードにおいて、上記基地局から制御情報を受信させるように上記トランシーバを制御し、
ここで上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化され、
上記制御情報の伝送が繰返し送信される上記回数を決定するために上記制御情報を復号し、
上記制御情報の最終の繰返し送信の伝送の後に、所定の期間が経過した後、上記制御情報によってスケジューリングされた上記無線リソースを用いて上記基地局と無線シグナリングを実行させるように上記トランシーバを制御するように動作可能である、端末デバイス。
【００９１】
（項目２）
上記制御情報は、上記制御情報の伝送が繰返し送信される上記回数に関連付けられたコード化スキームを用いてコード化され、上記コード化スキームは、上記制御情報の伝送が繰返し送信可能である個々の回数に各々関連付けられた複数の所定のコード化スキームのうちの１つであり、
上記コントローラは、
上記複数の所定のコード化スキームにおける各コード化スキームを用いて復号プロセスを実行し、
上記複数の所定のコード化スキームにおけるどのコード化スキームが上記制御情報を連続して復号するかを決定し、
上記制御情報を連続的に復号する上記コード化スキームに関連付けられる、上記制御情報の伝送が繰返し送信可能である上記回数を、上記制御情報の伝送が繰返し送信される上記回数として決定するように動作可能である、項目１に記載の端末デバイス。
【００９２】
（項目３）
上記制御情報をコード化するために用いられる上記コード化スキームは、上記基地局によって上記端末デバイスへ伝送される上記制御情報を含む信号の巡回冗長検査（ＣＲＣ）に対してマスキングされ、
上記コントローラは、上記基地局から受信された上記制御情報を含む上記信号の上記ＣＲＣに各コード化スキームを適用することによって、上記複数の所定のコード化スキームにおける各コード化スキームを用いて上記復号プロセスを実行するように動作可能である、項目２に記載の端末デバイス。
【００９３】
（項目４）
上記複数の所定のコード化スキームにおける各コード化スキームは、上記端末デバイスの識別子と、上記制御情報の伝送が繰返し送信可能である所定回数のうちの異なる回数との関数である、項目３に記載の端末デバイス。
【００９４】
（項目５）
上記制御情報をコード化するために用いられる上記コード化スキームは、上記基地局によって上記端末デバイスへ伝送される上記制御情報を含む信号のチャネル符号化に先立って、情報ビットに適用され、
上記コントローラは、上記信号のチャネル復号の後、上記基地局から受信された上記制御情報を含む上記信号に、各コード化スキームを適用することによって、上記複数の所定のコード化スキームにおける各コード化スキームを用いて上記復号プロセスを実行するように動作可能である、項目２に記載の端末デバイス。
【００９５】
（項目６）
上記制御情報をコード化するために用いられる上記コード化スキームは、上記信号のチャネル符号化の後、上記基地局によって上記端末デバイスへ送信される上記制御情報を含む信号に適用され、
上記コントローラは、上記信号のチャネル復号に先立って、上記基地局から受信される上記制御情報を含む上記信号に各コード化スキームを適用することによって、上記複数の所定のコード化スキームにおける各コード化スキームを用いて、上記復号プロセスを実行するように動作可能である、項目２に記載の端末デバイス。
【００９６】
（項目７）
上記制御情報をコード化するために用いられる上記コード化スキームは、上記基地局によって上記端末デバイスへ送信される変調され且つチャネル符号化された制御情報のシンボルに適用され、
上記コントローラは、上記基地局から受信された上記変調され且つチャネル符号化された制御情報の上記シンボルに各コード化スキームを適用することによって、上記複数の所定のコード化スキームにおける各コード化スキームを用いて上記復号プロセスを実行するように動作可能である、項目２に記載の端末デバイス。
【００９７】
（項目８）
上記制御情報をコード化するために用いられる上記コード化スキームは、上記基地局によって上記端末デバイスへ送信される変調され且つチャネル符号化された制御情報の対の物理リソースブロック（ＰＲＢ）の無線リソースエレメントに適用され、
上記コントローラは、上記基地局から受信された上記変調され且つチャネル符号化された制御情報の上記対のＰＲＢの上記無線リソースエレメントに各コード化スキームを適用することによって、上記複数の所定のコード化スキームにおける各コード化スキームを用いて上記復号プロセスを実行するように動作可能である、項目２に記載の端末デバイス。
【００９８】
（項目９）
上記制御情報の伝送が繰返し送信可能である第１及び第２の回数は各々同一の共有されたコード化スキームに関連付けられる、項目２から項目８のいずれか一項に記載の端末デバイス。
【００９９】
（項目１０）
上記コントローラは、上記共有されたコード化スキームを用いた制御情報の復号の後、上記制御情報における識別子に基づいて、上記制御情報が繰返し送信される上記回数を決定する、項目９に記載の端末デバイス。
【０１００】
（項目１１）
上記コード化はスクランブリング又はインターリービングのいずれかであり、上記復号はデスクランブリング又はデインターリービングのいずれかである、項目１から項目１０のいずれか一項に記載の端末デバイス。
【０１０１】
（項目１２）
上記所定のコード化スキームはスクラインブリング・コード又はインターリービング機能のいずれかである、項目２から項目１１のいずれか一項に記載の端末デバイス。
【０１０２】
（項目１３）
ワイヤレス遠隔通信システムにおいて使用するための基地局であって、
上記ワイヤレス遠隔通信システムの帯域幅のうちの所定の狭帯域を使用して、端末デバイスと無線シグナリングを実行するように動作可能なトランシーバと、
コントローラとを備え、
上記コントローラは、
上記ワイヤレス遠隔通信システムのカバレッジ拡張モードにおいて、上記端末デバイスへ伝送される制御情報を生成し、
ここで上記制御情報は上記端末デバイスとの無線シグナリングのために無線リソースをスケジューリングし、上記カバレッジ拡張モードは上記制御情報の上記端末デバイスへの伝送が複数回、繰返し送信されるモードであり、
上記端末デバイスへの上記制御情報の伝送が繰返し送信される回数を決定し、
上記端末デバイスへの上記制御情報の伝送が繰返し送信される上記決定された回数に従って、上記制御情報をコード化し、
上記端末デバイスへの上記制御情報の伝送が繰返し送信される上記決定された回数に従って、上記コード化された制御情報を上記端末デバイスへ繰返して伝送させるように上記トランシーバを制御し、
上記制御情報の最終の繰返し送信の伝送の後に、所定の期間が経過した後、上記制御情報によってスケジューリングされた上記無線リソースを用いて上記端末デバイスと無線シグナリングを実行させるように上記トランシーバを制御するように動作可能である、基地局。
【０１０３】
（項目１４）
上記コントローラは、上記制御情報の伝送が繰返し送信される上記回数に関連付けられたコード化スキームを用いて、上記制御情報をコード化するように動作可能であり、上記コード化スキームは、上記制御情報の伝送が繰返し送信可能である個々の回数に各々関連付けられた複数の所定のコード化スキームのうちの１つである、項目１３に記載の基地局。
【０１０４】
（項目１５）
上記コントローラは、上記制御情報をコード化するために用いられる上記コード化スキームを、上記端末デバイスへ伝送される上記制御情報を含む信号の巡回冗長検査（ＣＲＣ）に対してマスキングするように動作可能である、項目１４に記載の基地局。
【０１０５】
（項目１６）
上記複数の所定のコード化スキームにおける各コード化スキームは、上記端末デバイスの識別子と、上記制御情報の伝送が繰返し送信可能である所定回数のうちの異なる回数との関数である、項目１５に記載の基地局。
【０１０６】
（項目１７）
上記コントローラは、上記端末デバイスへ伝送される上記制御情報を含む信号のチャネル符号化に先立って、上記制御情報をコード化するために用いられる上記コード化スキームを情報ビットに適用するように動作可能である、項目１４に記載の基地局。
【０１０７】
（項目１８）
上記コントローラは、上記信号のチャネル符号化の後、上記端末デバイスへ伝送される上記制御情報を含む信号に、上記制御情報をコード化するために用いられる上記コード化スキームを適用するように動作可能である、項目１４に記載の基地局。
【０１０８】
（項目１９）
上記コントローラは、上記端末デバイスへ伝送される変調され且つチャネル符号化された制御情報のシンボルに、上記制御情報をコード化するために用いられる上記コード化スキームを適用するように動作可能である、項目１４に記載の基地局。
【０１０９】
（項目２０）
上記コントローラは、上記制御情報をコード化するために用いられる上記コード化スキームを、上記端末デバイスへ送信される変調され且つチャネル符号化された制御情報の対の物理リソースブロック（ＰＲＢ）の無線リソースエレメントに適用するように動作可能である、項目１４に記載の基地局。
【０１１０】
（項目２１）
上記制御情報の伝送が繰返し送信可能である第１及び第２の回数は各々同一の共有されたコード化スキームに関連付けられる、項目１４から項目２０のいずれか一項に記載の基地局。
【０１１１】
（項目２２）
上記コントローラは、上記制御情報の伝送が上記第１又は上記第２の回数、繰返し送信される場合、識別子を上記制御情報に加えるように動作可能であり、上記識別子は、上記制御情報の伝送が繰返し送信される上記第１又は上記第２の回数のどちらかであるかを識別する、項目２１に記載の基地局。
【０１１２】
（項目２３）
上記コード化はスクランブリング又はインターリービングのいずれかであり、上記復号はデスクランブリング又はデインターリービングのいずれかである、項目１３から項目２２のいずれか一項に記載の基地局。
【０１１３】
（項目２４）
上記所定のコード化スキームはスクラインブリング・コード又はインターリービング機能のいずれかである、項目１４から項目２３のいずれか一項に記載の端末デバイス。
【０１１４】
（項目２５）
項目１に記載の端末デバイスと、項目１３に記載の基地局とを含む、ワイヤレス遠隔通信システム。
【０１１５】
（項目２６）
ワイヤレス遠隔通信システムにおいて端末デバイスを操作する方法であって、上記端末デバイスは、上記ワイヤレス遠隔通信システムの帯域幅のうちの所定の狭帯域を使用して、基地局と無線シグナリングを実行するためのものであり、上記方法は、
上記ワイヤレス遠隔通信システムのカバレッジ拡張モードにおいて、上記基地局から制御情報を受信することであって、上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化される、ことと、
上記制御情報の伝送が繰返し送信される上記回数を決定するために上記制御情報を復号し、
上記制御情報の最終の繰返し送信の伝送の後に、所定の期間が経過した後、上記制御情報によってスケジューリングされた上記無線リソースを用いて上記基地局と無線シグナリングを実行することとを含む、方法。
【０１１６】
（項目２７）
項目２６に係る方法を実行させるようにコンピュータを制御するためのコンピュータプログラムを記憶する記憶媒体。
【０１１７】
（項目２８）
ワイヤレス遠隔通信システムにおいて基地局を操作する方法であって、上記基地局は、上記ワイヤレス遠隔通信システムの帯域幅のうちの所定の狭帯域を使用して、端末デバイスと無線シグナリングを実行するためのものであり、上記方法は、
上記ワイヤレス遠隔通信システムのカバレッジ拡張モードにおいて、上記端末デバイスへ伝送される制御情報を生成することであって、上記制御情報は上記端末デバイスとの無線シグナリングを実行するために無線リソースをスケジューリングし、上記カバレッジ拡張モードは上記制御情報の上記端末デバイスへの伝送が複数回、繰返し送信されるモードである、ことと、
上記端末デバイスへの上記制御情報の伝送が繰返し送信される回数を決定することと、
上記端末デバイスへの上記制御情報の伝送が繰返し送信される上記決定された回数に従って、上記制御情報をコード化することと、
上記端末デバイスへの上記制御情報の伝送が繰返し送信される上記決定された回数に従って、上記コード化された制御情報を上記端末デバイスへ繰返して伝送することと、
上記制御情報の最終の繰返し送信の伝送の後に、所定の期間が経過した後、上記制御情報によってスケジューリングされた上記無線リソースを用いて上記端末デバイスと無線シグナリングを実行することとを含む、方法。
【０１１８】
（項目２９）
項目２８に係る方法を実行させるようにコンピュータを制御するためのコンピュータプログラムを記憶する記憶媒体。
【０１１９】
（項目３０）
ワイヤレス遠隔通信システムにおいて使用するための端末デバイスであって、
上記ワイヤレス遠隔通信システムの帯域幅のうちの所定の狭帯域を使用して、基地局と無線シグナリングを実行するように動作可能なトランシーバ回路と、
コントローラ回路とを備え、
上記コントローラ回路は、
上記ワイヤレス遠隔通信システムのカバレッジ拡張モードにおいて、上記基地局から制御情報を受信させるように上記トランシーバ回路を制御し、
ここで上記制御情報は上記基地局との無線シグナリングのために無線リソースをスケジューリングし、上記カバレッジ拡張モードは上記制御情報の上記端末デバイスへの伝送が複数回、繰返し送信されるモードであり、上記制御情報は上記制御情報の伝送が繰返し送信される回数に従ってコード化され、
上記制御情報の伝送が繰返し送信される上記回数を決定するために上記制御情報を復号し、
上記制御情報の最終の繰返し送信の伝送の後に、所定の期間が経過した後、上記制御情報によってスケジューリングされた上記無線リソースを用いて上記基地局と無線シグナリングを実行させるように上記トランシーバ回路を制御するように動作可能である、端末デバイス。
【０１２０】
（項目３１）
ワイヤレス遠隔通信システムにおいて使用するための基地局であって、
上記ワイヤレス遠隔通信システムの帯域幅のうちの所定の狭帯域を使用して、端末デバイスと無線シグナリングを実行するように動作可能なトランシーバ回路と、
コントローラ回路とを備え、
上記コントローラ回路は、
上記ワイヤレス遠隔通信システムのカバレッジ拡張モードにおいて、上記端末デバイスへ伝送される制御情報を生成し、
ここで上記制御情報は上記端末デバイスとの無線シグナリングのために無線リソースをスケジューリングし、上記カバレッジ拡張モードは上記制御情報の上記端末デバイスへの伝送が複数回、繰返し送信されるモードであり、
上記端末デバイスへの上記制御情報の伝送が繰返し送信される回数を決定し、
上記端末デバイスへの上記制御情報の伝送が繰返し送信される上記決定された回数に従って、上記制御情報をコード化し、
上記端末デバイスへの上記制御情報の伝送が繰返し送信される上記決定された回数に従って、上記コード化された制御情報を上記端末デバイスへ繰返して伝送させるように上記トランシーバ回路を制御し、
上記制御情報の最終の繰返し送信の伝送の後に、所定の期間が経過した後、上記制御情報によってスケジューリングされた上記無線リソースを用いて上記端末デバイスと無線シグナリングを実行させるように上記トランシーバ回路を制御するように動作可能である、基地局。
【０１２１】
本発明の種々のさらなる態様及び特徴は添付の特許請求の範囲において規定され、添付の特許請求の範囲の特徴の様々な組合わせが、請求項の従属関係として記載された特定の組合わせ以外にも独立請求項の態様及び特徴を用いてなされてよい。様々な改変が、本発明の範囲から逸脱することなく、本願明細書において上述された本実施形態に対してなされてよい。例えば、１つの特徴が特定の実施形態に関連して記載されていると見なされ得るとしても、当業者はその記載された実施形態の様々な特徴が本開示に従って組合され得るものであることを認識するであろう。
【０１２２】
付録１
図２に提示されるＬＴＥのワイヤレス・アクセス・インターフェースのダウンリンクの簡略化された構造は、各サブフレーム２０１の図も含んでおり、各サブフレーム２０１は制御データの伝送のための制御領域２０５、ユーザデータの伝送のためのデータ領域２０６、基準信号２０７、及び所定のパターンに従って制御領域及びデータ領域に点在される同期信号を含む。制御領域２０４は制御データの伝送のための複数の物理チャネル、例えば物理ダウンリンク制御チャネル（ＰＤＣＣＨ）、物理制御フォーマット・インジケータ・チャネル（ＰＣＦＩＣＨ）、及び物理ＨＡＲＱインジケータ・チャネル（ＰＨＩＣＨ）を含んでよい。データ領域は、データの伝送のための複数の物理チャネル、例えば物理ダウンリンク通信チャネル（ＰＤＳＣＨ）及び物理ブロードキャスト・チャネル（ＰＢＣＨ）を含んでよい。これらの物理チャネルはＬＴＥシステムに広範囲の機能性を提供するが、リソース割当て及び本開示に関しては、ＰＤＣＣＨ及びＰＤＳＣＨが最も関連が深い。ＬＴＥシステムの物理チャネルの構造及び機能についてのさらなる情報は非特許文献１に見出され得る。
【０１２３】
ＰＤＳＣＨ内のリソースは、基地局により受けもたれているＵＥへ、その基地局によって割当てられてよい。例えば、ＵＥが以前にリクエストしたデータ、又は例えば無線リソース制御（ＲＲＣ）シグナリング等の基地局によってＵＥにプッシュされているデータを受信し得るために、ＰＤＳＣＨの複数のリソースブロックはＵＥに割当てられてよい。図２において、ＵＥ１はデータ領域２０６の割当てられたリソース２０８であり、ＵＥ２はリソース２０９、ＵＥは２１０である。ＬＴＥシステムにおけるＵＥにはＰＤＳＣＨの利用可能なリソースの断片が割当てられてよく、それゆえ、ＰＤＳＣＨ内における関連するデータのみが検出され且つ推定されるように、ＵＥはＰＤＣＳＨ内においてそれらの割当てられたリソースの場所が通知されることが必要である。ＵＥに、それらの割当てられた通信リソースエレメントの場所を通知するために、ダウンリンク・リソース割当てを特定するリソース制御情報が、ダウンリンク制御情報（ＤＣＩ）と呼ばれる形でＰＤＣＣＨに亘って搬送され、ここでＰＤＳＣＨのためのリソース割当ては同一のサブフレーム内における先行するＰＤＣＣＨのインスタンスにおいて通信される。リソース割当てプロシージャの間、ＵＥは従ってＵＥにアドレスされたＤＣＩのためにＰＤＣＣＨを監視し、このようなＤＣＩが検出されるや否や、ＤＣＩを受信し、ＰＤＳＣＨの関連する部分からデータを検出及び推定する。
【０１２４】
各アップリンク・サブフレームは複数の異なるチャネル、例えば物理アップリンク通信チャネル（ＰＵＳＣＨ）３０５、物理アップリンク制御チャネル（ＰＵＣＣＨ）３０６及び物理ランダムアクセスチャネル（ＰＲＡＣＨ）を含んでよい。物理アップリンク制御チャネル（ＰＵＣＣＨ）は、例えば、ダウンリンク伝送のために基地局にＡＣＫ／ＮＡＣＫ等の制御情報、ＵＥがスケジューリングされたアップリンク・リソースであることを望むためのスケジューリング要求インジケータ（ＳＲＩ）、及びダウンリンク・チャネル状態情報（ＣＳＩ）のフィードバックを搬送してよい。ＰＵＳＣＨはＵＥのアップリンクデータ又は一部のアップリンクの制御データを搬送してよい。ＰＵＳＣＨのリソースはＰＤＣＣＨを介してグラントされ、このようなグラントは、ＵＥにおけるバッファにおいて伝送される準備が整ったデータ量をネットワークへ通信することによって典型的にはトリガされる。ＰＲＡＣＨは、システム情報ブロック等のダウンリンク・シグナリングにおいてＵＥにシグナリングされ得る複数のＰＲＡＣＨのパターンの１つに従って、アップリング・フレームのリソースのいずれかにおいてスケジューリングされてよい。物理アップリンク・チャネルだけでなく、アップリンク・サブフレームもまた基準信号を含んでよい。例えば、復調基準信号（ＤＭＲＳ）３０７及び音声基準信号（ＳＲＳ）３０８はアップリンク・サブフレームに存在してもよく、ここでＤＭＲＳは、ＰＵＳＣＨが伝送されるスロットの第４シンボルを占有し、且つＰＵＣＣＨ及びＰＵＳＣＨデータの復号のために用いられ、ＳＲＳは基地局においてアップリンク・チャネル推定のために用いられる。ＬＴＥシステムの物理チャネルの構造及び機能についてのさらなる情報は非特許文献［１］に見出され得る。
【０１２５】
ＰＤＳＣＨのリソースと類似する仕方において、ＰＵＳＣＨのリソースは、サービング基地局によってスケジューリングされるか又はグラントされる必要があり、従ってデータがＵＥによって伝送される場合、ＰＵＳＣＨのリソースは基地局によってＵＥへグラントされる必要がある。ＵＥにおいて、ＰＵＳＣＨリソース割当てはそのサービング基地局へのスケジューリング・リクエスト又はバッファ状態レポートの伝送によって達成される。スケジューリング・リクエストは、ＵＥがバッファ状態レポートを送信するには不十分なアップリンク・リソースがある場合に、そのＵＥについて既存のＰＵＳＣＨ割当てがない場合にはＰＵＣＣＨ上でアップリンク制御情報（ＵＣＩ）の伝送を介し、又はそのＵＥについて既存のＰＵＳＣＨ割当てが存在する場合にはＰＵＳＣＨ上で直接での伝送によってなされてよい。スケジューリング・リクエストに応じて、基地局は、バッファ状態レポートを転送するのに十分であるリクエスト元のＵＥにＰＵＳＣＨリソースの一部を割当て、次いでＰＤＣＣＨにおけるＤＣＩを介してバッファ状態レポートリソース割当てをＵＥに通知するように構成されている。ＵＥがバッファ状態レポートを送信するのに十分であるＰＵＳＣＨリソースをいったん有するようになると、または有する場合には、バッファ状態レポートは基地局に送信され、アップリンクのバッファすなわちＵＥのバッファにおけるデータ量についての情報を基地局に与える。バッファ状態レポートを受信した後、基地局は、そのバッファされたアップリンクデータの一部を伝送するために、送信元のＵＥへＰＵＳＣＨリソースの一部を割当て、次いでＰＤＣＣＨにおけるＤＣＩを介したリソース割当てをＵＥに通知することができる。例えば、ＵＥが基地局との接続を有していると仮定すると、ＵＥはまずＵＣＩの形でＰＵＣＣＨにおけるＰＵＳＣＨリソース・リクエストを伝送する。ＵＥは次いで適切なＤＣＩのためにＰＤＣＣＨを監視し、ＰＵＳＣＨリソース割当ての詳細を抽出し、割当てられたリソースにおいて最初はバッファ状態レポートを含み、及び／又は後にバッファされたデータの一部を含むアップリンクデータを伝送する。
【０１２６】
ダウンリンクのサブフレームと構造の点で類似するが、アップリンクのサブフレームはダウンリンクのサブフレームとは異なる制御構造を有し、特にアップリンクのサブフレームの上側３０９及び下側３１０のサブキャリア／周波数／リソースブロックは、ダウンリンクのサブフレームの最初のシンボルのためというよりもむしろ制御シグナリングのためにリザーブされる。さらに、ダウンリンク及びアップリンクのためのリソース割当てプロシージャは比較的類似しているが、割当てられ得るリソースの実際の構造は、ダウンリンクにおいて用いられるＯＦＤＭのインターフェース及びアップリンクにおいて用いられるＳＣ−ＦＤＭのインターフェースの異なる特性に起因して様々であり得る。ＯＦＤＭでは、各サブキャリアは個々に変調され、それゆえ周波数／サブキャリアの割当ては連続している必要はないが、ＳＣ−ＦＤＭにおいては、サブキャリアは組み合わせての変調であり、それゆえ利用可能なリソースの効率的な使用がなされる場合、各ＵＥについて連続した周波数割当てが好適である。
【０１２７】
上述のワイヤレス・インターフェース構造及び動作の結果として、１つ以上のＵＥは協調する基地局を介して互いにデータを通信してよく、このようにして従来のセル式遠隔通信システムを形成する。以前にリリースされたＬＴＥ規格に基づくセル式通信システムは商業的に成功しているが、複数の不利益がそのような一元管理されたシステムに関連付けられている。例えば、近接した２つのＵＥが互いに通信することを望む場合、データを搬送するのに十分なアップリンク及びダウンリンクのリソースが必要とされる。その結果、システムのリソースの２つの部分がデータの単一の部分を搬送するために用いられている。第２の不利益は、ＵＥが近接しているとしても、互いに通信することを望む場合、基地局が必要とされることである。これらの制限は、システムが高負荷を被るか、基地局のカバレッジが例えば遠隔の領域において利用可能でない場合、又は基地局が正しく機能していない場合、問題含みであり得る。これらの制限を克服することは、ＬＴＥのネットワークの能力及び効率の両方を上昇し得るだけでなく、ＬＴＥのネットワークのオペレータにとって新たな収益の可能性を創造することを導き得る。
【０１２８】
［参照］
（１）ＬＴＥ  ｆｏｒ  ＵＭＴＳ：  ＯＦＤＭＡ  ａｎｄ  ＳＣ−ＦＤＭＡ  Ｂａｓｅｄ  Ｒａｄｉｏ  Ａｃｃｅｓｓ、  Ｈａｒｒｉｓ  Ｈｏｌｍａ  ａｎｄ  Ａｎｔｔｉ  Ｔｏｓｋａｌａ、  Ｗｉｌｅｙ  ２００９、  ＩＳＢＮ  ９７８−０−４７０−９９４０１−６
【図１】
2018525931.tif 000020
【図２】
2018525931.tif 000021
【図３】
2018525931.tif 000022
【図４】
2018525931.tif 000023
【図５】
2018525931.tif 000024
【図６】
2018525931.tif 000025
【図７】
2018525931.tif 000026
【図８】
2018525931.tif 000027
【図９】
2018525931.tif 000028
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
ワイヤレス遠隔通信システムにおいて使用するための端末デバイスであって、
前記ワイヤレス遠隔通信システムの帯域幅のうちの所定の狭帯域を使用して、基地局と無線シグナリングを実行するように動作可能なトランシーバと、
コントローラとを備え、
前記コントローラは、
前記ワイヤレス遠隔通信システムのカバレッジ拡張モードにおいて、前記基地局から制御情報を受信させるように前記トランシーバを制御し、
ここで前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化され、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局と無線シグナリングを実行させるように前記トランシーバを制御するように動作可能である、端末デバイス。
【請求項２】
前記制御情報は、前記制御情報の伝送が繰返し送信される前記回数に関連付けられたコード化スキームを用いてコード化され、前記コード化スキームは、前記制御情報の伝送が繰返し送信可能である個々の回数に各々関連付けられた複数の所定のコード化スキームのうちの１つであり、
前記コントローラは、
前記複数の所定のコード化スキームにおける各コード化スキームを用いて復号プロセスを実行し、
前記複数の所定のコード化スキームにおけるどのコード化スキームが前記制御情報を連続して復号するかを決定し、
前記制御情報を連続的に復号する前記コード化スキームに関連付けられる、前記制御情報の伝送が繰返し送信可能である前記回数を、前記制御情報の伝送が繰返し送信される前記回数として決定するように動作可能である、請求項１に記載の端末デバイス。
【請求項３】
前記制御情報をコード化するために用いられる前記コード化スキームは、前記基地局によって前記端末デバイスへ伝送される前記制御情報を含む信号の巡回冗長検査（ＣＲＣ）に対してマスキングされ、
前記コントローラは、前記基地局から受信された前記制御情報を含む前記信号の前記ＣＲＣに各コード化スキームを適用することによって、前記複数の所定のコード化スキームにおける各コード化スキームを用いて前記復号プロセスを実行するように動作可能である、請求項２に記載の端末デバイス。
【請求項４】
前記複数の所定のコード化スキームにおける各コード化スキームは、前記端末デバイスの識別子と、前記制御情報の伝送が繰返し送信可能である所定回数のうちの異なる回数との関数である、請求項３に記載の端末デバイス。
【請求項５】
前記制御情報をコード化するために用いられる前記コード化スキームは、前記基地局によって前記端末デバイスへ伝送される前記制御情報を含む信号のチャネル符号化に先立って、情報ビットに適用され、
前記コントローラは、前記信号のチャネル復号の後、前記基地局から受信された前記制御情報を含む前記信号に、各コード化スキームを適用することによって、前記複数の所定のコード化スキームにおける各コード化スキームを用いて前記復号プロセスを実行するように動作可能である、請求項２に記載の端末デバイス。
【請求項６】
前記制御情報をコード化するために用いられる前記コード化スキームは、信号に適用され、前記信号は、前記信号のチャネル符号化の後、前記基地局によって前記端末デバイスへ送信される前記制御情報を含み、
前記コントローラは、前記信号のチャネル復号に先立って、前記基地局から受信される前記制御情報を含む前記信号に各コード化スキームを適用することによって、前記複数の所定のコード化スキームにおける各コード化スキームを用いて、前記復号プロセスを実行するように動作可能である、請求項２に記載の端末デバイス。
【請求項７】
前記制御情報をコード化するために用いられる前記コード化スキームは、前記基地局によって前記端末デバイスへ送信される変調され且つチャネル符号化された制御情報のシンボルに適用され、
前記コントローラは、前記基地局から受信された前記変調され且つチャネル符号化された制御情報の前記シンボルに各コード化スキームを適用することによって、前記複数の所定のコード化スキームにおける各コード化スキームを用いて前記復号プロセスを実行するように動作可能である、請求項２に記載の端末デバイス。
【請求項８】
前記制御情報をコード化するために用いられる前記コード化スキームは、前記基地局によって前記端末デバイスへ送信される変調され且つチャネル符号化された制御情報の対の物理リソースブロック（ＰＲＢ）の無線リソースエレメントに適用され、
前記コントローラは、前記基地局から受信された前記変調され且つチャネル符号化された制御情報の前記対のＰＲＢの前記無線リソースエレメントに各コード化スキームを適用することによって、前記複数の所定のコード化スキームにおける各コード化スキームを用いて前記復号プロセスを実行するように動作可能である、請求項２に記載の端末デバイス。
【請求項９】
前記制御情報の伝送が繰返し送信可能である第１及び第２の回数は各々同一の共有されたコード化スキームに関連付けられる、請求項２に記載の端末デバイス。
【請求項１０】
前記コントローラは、前記共有されたコード化スキームを用いた制御情報の復号の後、前記制御情報における識別子に基づいて、前記制御情報が繰返し送信される前記回数を決定する、請求項９に記載の端末デバイス。
【請求項１１】
前記コード化はスクランブリング又はインターリービングのいずれかであり、前記復号はデスクランブリング又はデインターリービングのいずれかである、請求項１に記載の端末デバイス。
【請求項１２】
前記所定のコード化スキームはスクラインブリング・コード又はインターリービング機能のいずれかである、請求項２に記載の端末デバイス。
【請求項１３】
ワイヤレス遠隔通信システムにおいて使用するための基地局であって、
前記ワイヤレス遠隔通信システムの帯域幅のうちの所定の狭帯域を使用して、端末デバイスと無線シグナリングを実行するように動作可能なトランシーバと、
コントローラとを備え、
前記コントローラは、
前記ワイヤレス遠隔通信システムのカバレッジ拡張モードにおいて、前記端末デバイスへ伝送される制御情報を生成し、
ここで前記制御情報は前記端末デバイスとの無線シグナリングのために無線リソースをスケジューリングし、前記カバレッジ拡張モードは前記制御情報の前記端末デバイスへの伝送が複数回、繰返し送信されるモードであり、
前記端末デバイスへの前記制御情報の伝送が繰返し送信される回数を決定し、
前記端末デバイスへの前記制御情報の伝送が繰返し送信される前記決定された回数に従って、前記制御情報をコード化し、
前記端末デバイスへの前記制御情報の伝送が繰返し送信される前記決定された回数に従って、前記コード化された制御情報を前記端末デバイスへ繰返して伝送させるように前記トランシーバを制御し、
前記制御情報の最終の繰返し送信の伝送の後に、所定の期間が経過した後、前記制御情報によってスケジューリングされた前記無線リソースを用いて前記端末デバイスと無線シグナリングを実行させるように前記トランシーバを制御するように動作可能である、基地局。
【請求項１４】
前記コントローラは、前記制御情報の伝送が繰返し送信される前記回数に関連付けられたコード化スキームを用いて、前記制御情報をコード化するように動作可能であり、前記コード化スキームは、前記制御情報の伝送が繰返し送信可能である個々の回数に各々関連付けられた複数の所定のコード化スキームのうちの１つである、請求項１３に記載の基地局。
【請求項１５】
前記コントローラは、前記制御情報をコード化するために用いられる前記コード化スキームを、前記端末デバイスへ伝送される前記制御情報を含む信号の巡回冗長検査（ＣＲＣ）に対してマスキングするように動作可能である、請求項１４に記載の基地局。
【請求項１６】
前記複数の所定のコード化スキームにおける各コード化スキームは、前記端末デバイスの識別子と、前記制御情報の伝送が繰返し送信可能である所定回数のうちの異なる回数との関数である、請求項１５に記載の基地局。
【請求項１７】
前記コントローラは、前記端末デバイスへ伝送される前記制御情報を含む信号のチャネル符号化に先立って、前記制御情報をコード化するために用いられる前記コード化スキームを情報ビットに適用するように動作可能である、請求項１４に記載の基地局。
【請求項１８】
前記コントローラは、前記制御情報をコード化するために用いられる前記コード化スキームを信号に適用するように動作可能であり、前記信号は、前記信号のチャネル符号化の後、前記端末デバイスへ伝送される前記制御情報を含む、請求項１４に記載の基地局。
【請求項１９】
前記コントローラは、前記端末デバイスへ伝送される変調され且つチャネル符号化された制御情報のシンボルに、前記制御情報をコード化するために用いられる前記コード化スキームを適用するように動作可能である、請求項１４に記載の基地局。
【請求項２０】
前記コントローラは、前記制御情報をコード化するために用いられる前記コード化スキームを、前記端末デバイスへ送信される変調され且つチャネル符号化された制御情報の対の物理リソースブロック（ＰＲＢ）の無線リソースエレメントに適用するように動作可能である、請求項１４に記載の基地局。
【請求項２１】
前記制御情報の伝送が繰返し送信可能である第１及び第２の回数は各々同一の共有されたコード化スキームに関連付けられる、請求項１４に記載の基地局。
【請求項２２】
前記コントローラは、前記制御情報の伝送が前記第１又は前記第２の回数、繰返し送信される場合、識別子を前記制御情報に加えるように動作可能であり、前記識別子は、前記制御情報の伝送が繰返し送信される前記第１又は前記第２の回数のどちらかであるかを識別する、請求項２１に記載の基地局。
【請求項２３】
前記コード化はスクランブリング又はインターリービングのいずれかである、請求項１３に記載の基地局。
【請求項２４】
前記所定のコード化スキームはスクラインブリング・コード又はインターリービング機能のいずれかである、請求項１４に記載の端末デバイス。
【請求項２５】
請求項１に記載の端末デバイスと、請求項１３に記載の基地局とを含む、ワイヤレス遠隔通信システム。
【請求項２６】
ワイヤレス遠隔通信システムにおいて端末デバイスを操作する方法であって、前記端末デバイスは、前記ワイヤレス遠隔通信システムの帯域幅のうちの所定の狭帯域を使用して、基地局と無線シグナリングを実行するためのものであり、前記方法は、
前記ワイヤレス遠隔通信システムのカバレッジ拡張モードにおいて、前記基地局から制御情報を受信することであって、前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化される、ことと、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局と無線シグナリングを実行することとを含む、方法。
【請求項２７】
請求項２６に係る方法を実行させるようにコンピュータを制御するためのコンピュータプログラムを記憶する記憶媒体。
【請求項２８】
ワイヤレス遠隔通信システムにおいて基地局を操作する方法であって、前記基地局は、前記ワイヤレス遠隔通信システムの帯域幅のうちの所定の狭帯域を使用して、端末デバイスと無線シグナリングを実行するためのものであり、前記方法は、
前記ワイヤレス遠隔通信システムのカバレッジ拡張モードにおいて、前記端末デバイスへ伝送される制御情報を生成することであって、前記制御情報は前記端末デバイスとの無線シグナリングを実行するために無線リソースをスケジューリングし、前記カバレッジ拡張モードは前記制御情報の前記端末デバイスへの伝送が複数回、繰返し送信されるモードである、ことと、
前記端末デバイスへの前記制御情報の伝送が繰返し送信される回数を決定することと、
前記端末デバイスへの前記制御情報の伝送が繰返し送信される前記決定された回数に従って、前記制御情報をコード化することと、
前記端末デバイスへの前記制御情報の伝送が繰返し送信される前記決定された回数に従って、前記コード化された制御情報を前記端末デバイスへ繰返して伝送することと、
前記制御情報の最終の繰返し送信の伝送の後に、所定の期間が経過した後、前記制御情報によってスケジューリングされた前記無線リソースを用いて前記端末デバイスと無線シグナリングを実行することとを含む、方法。
【請求項２９】
請求項２８に係る方法を実行させるようにコンピュータを制御するためのコンピュータプログラムを記憶する記憶媒体。
【請求項３０】
ワイヤレス遠隔通信システムにおいて使用するための端末デバイスであって、
前記ワイヤレス遠隔通信システムの帯域幅のうちの所定の狭帯域を使用して、基地局と無線シグナリングを実行するように動作可能なトランシーバ回路と、
コントローラ回路とを備え、
前記コントローラ回路は、
前記ワイヤレス遠隔通信システムのカバレッジ拡張モードにおいて、前記基地局から制御情報を受信させるようにレシーバ回路を制御し、
ここで前記制御情報は前記基地局との無線シグナリングのために無線リソースをスケジューリングし、前記カバレッジ拡張モードは前記制御情報の前記端末デバイスへの伝送が複数回、繰返し送信されるモードであり、前記制御情報は前記制御情報の伝送が繰返し送信される回数に従ってコード化され、
前記制御情報の伝送が繰返し送信される前記回数を決定するために前記制御情報を復号し、
前記制御情報の最終の繰返し送信の伝送の後に、所定の期間が経過した後、前記制御情報によってスケジューリングされた前記無線リソースを用いて前記基地局から無線シグナリングを実行させるように前記トランシーバ回路を制御するように動作可能である、端末デバイス。
【請求項３１】
ワイヤレス遠隔通信システムにおいて使用するための基地局であって、
前記ワイヤレス遠隔通信システムの帯域幅のうちの所定の狭帯域を使用して、端末デバイスと無線シグナリングを実行するように動作可能なトランシーバ回路と、
コントローラ回路とを備え、
前記コントローラ回路は、
前記ワイヤレス遠隔通信システムのカバレッジ拡張モードにおいて、前記端末デバイスへ伝送される制御情報を生成し、
ここで前記制御情報は前記端末デバイスとの無線シグナリングのために無線リソースをスケジューリングし、前記カバレッジ拡張モードは前記制御情報の前記端末デバイスへの伝送が複数回、繰返し送信されるモードであり、
前記端末デバイスへの前記制御情報の伝送が繰返し送信される回数を決定し、
前記端末デバイスへの前記制御情報の伝送が繰返し送信される前記決定された回数に従って、前記制御情報をコード化し、
前記端末デバイスへの前記制御情報の伝送が繰返し送信される前記決定された回数に従って、前記コード化された制御情報を前記端末デバイスへ繰返して伝送させるように前記トランシーバ回路を制御し、
前記制御情報の最終の繰返し送信の伝送の後に、所定の期間が経過した後、前記制御情報によってスケジューリングされた前記無線リソースを用いて前記端末デバイスと無線シグナリングを実行させるように前記トランシーバ回路を制御するように動作可能である、基地局。
【手続補正２】
【補正対象書類名】明細書
【補正対象項目名】００７２
【補正方法】変更
【補正の内容】
【００７２】
従って、制御情報は、基地局１０１ａとＬＣ−ＭＴＣの端末デバイス１０４ａとの間のアップリンク及び／又はダウンリンクの無線シグナリングのために無線リソースをスケジューリングしてよいことに留意されたい。言い換えれば、制御情報は、概して、基地局１０１ａとＬＣ−ＭＴＣの端末デバイス１０４ａとの間の無線シグナリングのために無線リソースをスケジューリングしてよい。基地局１０１ａのレシーバ１１２及びトランスミッタ１１０は、ＬＣ−ＭＴＣ１０４ａから無線シグナリングの受信、及びＬＣ−ＭＴＣ１０４ａへ無線シグナリング（制御情報を含む）の送信の両方が可能であるトランシーバとして機能することに留意されたい。同様に、ＬＣ−ＭＴＣ１０４ａのレシーバ１１８及びトランスミッタ１１６は、基地局１０１ａから無線シグナリング（制御情報を含む）の受信、及び基地局１０１ａへ無線シグナリングの送信の両方が可能であるトランシーバとして機能する。
【手続補正３】
【補正対象書類名】明細書
【補正対象項目名】０１２２
【補正方法】変更
【補正の内容】
【０１２２】
付録１
図２に提示されるＬＴＥのワイヤレス・アクセス・インターフェースのダウンリンクの簡略化された構造は、各サブフレーム２０１の図も含んでおり、各サブフレーム２０１は制御データの伝送のための制御領域２０５、ユーザデータの伝送のためのデータ領域２０６、基準信号２０７、及び所定のパターンに従って制御領域及びデータ領域に点在される同期信号を含む。制御領域２０５は制御データの伝送のための複数の物理チャネル、例えば物理ダウンリンク制御チャネル（ＰＤＣＣＨ）、物理制御フォーマット・インジケータ・チャネル（ＰＣＦＩＣＨ）、及び物理ＨＡＲＱインジケータ・チャネル（ＰＨＩＣＨ）を含んでよい。データ領域は、データの伝送のための複数の物理チャネル、例えば物理ダウンリンク通信チャネル（ＰＤＳＣＨ）及び物理ブロードキャスト・チャネル（ＰＢＣＨ）を含んでよい。これらの物理チャネルはＬＴＥシステムに広範囲の機能性を提供するが、リソース割当て及び本開示に関しては、ＰＤＣＣＨ及びＰＤＳＣＨが最も関連が深い。ＬＴＥシステムの物理チャネルの構造及び機能についてのさらなる情報は非特許文献１に見出され得る。
【国際調査報告】
2018525931.tif 000029
2018525931.tif 000030
2018525931.tif 000031